(57)【要約】方法、システム、およびデバイスは、ＤＳＲＣスペクトルを使用するときのアクセスタイミングパラメータを適応させるために説明される。マルチモードデバイスは、ＤＳＲＣスペクトル内で動作する間の少なくとも１つのアクセスタイミングパラメータを適応させ得る。少なくとも１つのアクセスタイミングパラメータは、ＤＳＲＣスペクトルを使用するＤＳＲＣデバイスの送信に優先権を提供するように適応され得る。マルチモードデバイスは、ＤＳＲＣデバイスによって使用されるショートインターフレームスペーシング（ＳＩＦＳ）の期間と少なくとも等しくなるようにＳＩＦＳの期間を増加させ得る。【選択図】図７
2016524882.tif 000002
【特許請求の範囲】
【請求項１】
専用狭域通信（ＤＳＲＣ）スペクトルを使用するときのアクセスタイミングパラメータを適応させる方法であって、
前記ＤＳＲＣスペクトル内で動作するために前記ＤＳＲＣスペクトルの外側で動作しているマルチモードデバイスの少なくとも１つのアクセスタイミングパラメータを適応させることを備え、前記少なくとも１つのアクセスタイミングパラメータは、前記ＤＳＲＣスペクトルを使用するＤＳＲＣデバイスの送信に優先権を提供するように適応される、
方法。
【請求項２】
前記マルチモードデバイスの少なくとも１つのアクセスタイミングパラメータを適応させることは、
ＤＳＲＣデバイスによって使用されるショートインターフレームスペーシング（ＳＩＦＳ）の期間と少なくとも等しくなるようにＳＩＦＳの期間を増加させることを備える、
請求項１に記載の方法。
【請求項３】
前記マルチモードデバイスの少なくとも１つのアクセスタイミングパラメータを適応させることは、
ＤＳＲＣデバイスのアクセスタイミングのために使用されるスロット時間に少なくとも等しくなるようにアクセスタイミングのために使用されるスロット時間を増加させることを備え、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項１に記載の方法。
【請求項４】
前記マルチモードデバイスの少なくとも１つのアクセスタイミングパラメータを適応させることは、
前記マルチモードデバイスによって使用されるバックオフタイマを適応させることを備える、
請求項１に記載の方法。
【請求項５】
前記ＤＳＲＣスペクトル内のＤＳＲＣ送信のアクティビティレベルを決定することと、
ＤＳＲＣ送信の前記決定されたアクティビティに少なくとも部分的に基づいて非ＤＳＲＣ送信のために前記ＤＳＲＣスペクトルを使用するかどうかを決定することと
をさらに備える、請求項１に記載の方法。
【請求項６】
前記ＤＳＲＣスペクトルを使用すると決定すると、前記マルチモードデバイスの前記少なくとも１つのアクセスタイミングパラメータを適応させることをさらに備え、前記適応させることは、ＤＳＲＣ送信の前記決定されたアクティビティレベルに少なくとも部分的に基づく、
請求項５に記載の方法。
【請求項７】
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
をさらに備える、請求項５に記載の方法。
【請求項８】
前記ＤＳＲＣスペクトル内のアクティビティレベルを送信することをさらに備える、
請求項１に記載の方法。
【請求項９】
前記マルチモードデバイスの前記少なくとも１つのアクセスタイミングパラメータに適用する前記適応を示すアクセスポイント（ＡＰ）から命令を受信することをさらに備え、前記命令は、前記ＤＳＲＣ内のアクティビティレベルに少なくとも部分的に基づく、
請求項１に記載の方法。
【請求項１０】
前記ＤＳＲＣスペクトルの外側で動作するために、前記ＤＳＲＣスペクトル内で動作している前記マルチモードデバイスの前記少なくとも１つのアクセスタイミングパラメータを適応させることをさらに備える、
請求項１に記載の方法。
【請求項１１】
専用狭域通信（ＤＳＲＣ）スペクトルを使用するときのアクセスタイミングパラメータを適応させるための装置であって、
前記ＤＳＲＣスペクトル内で動作するために前記ＤＳＲＣスペクトルの外側で動作しているマルチモードデバイスの少なくとも１つのアクセスタイミングパラメータを適応させるための手段を備え、前記少なくとも１つのアクセスタイミングパラメータは、前記ＤＳＲＣスペクトルを使用するＤＳＲＣデバイスの送信に優先権を提供するように適応される、
装置。
【請求項１２】
前記マルチモードデバイスの少なくとも１つのアクセスタイミングパラメータを適応させるための前記手段は、
ＤＳＲＣデバイスによって使用されるショートインターフレームスペーシング（ＳＩＦＳ）の期間と少なくとも等しくなるようにＳＩＦＳの期間を増加させるための手段を備える、
請求項１１に記載の装置。
【請求項１３】
前記マルチモードデバイスの少なくとも１つのアクセスタイミングパラメータを適応させるための前記手段は、
ＤＳＲＣデバイスのアクセスタイミングのために使用されるスロット時間に少なくとも等しくなるようにアクセスタイミングのために使用されるスロット時間を増加させるための手段を備え、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項１１に記載の装置。
【請求項１４】
前記マルチモードデバイスの少なくとも１つのアクセスタイミングパラメータを適応させるための前記手段は、
前記マルチモードデバイスによって使用されるバックオフタイマを適応させるための手段を備える、
請求項１１に記載の装置。
【請求項１５】
前記ＤＳＲＣスペクトル内のＤＳＲＣ送信のアクティビティレベルを決定する手段と、
ＤＳＲＣ送信の前記決定されたアクティビティに少なくとも部分的に基づいて非ＤＳＲＣ送信のために前記ＤＳＲＣスペクトルを使用するかどうかを決定するための手段と
をさらに備える、請求項１１に記載の装置。
【請求項１６】
前記マルチモードデバイスの前記少なくとも１つのアクセスタイミングパラメータを適応させるための手段をさらに備え、前記適応は、ＤＳＲＣ送信の前記決定されたアクティビティレベルに少なくとも部分的に基づく、
請求項１５に記載の装置。
【請求項１７】
ＤＳＲＣ送信の第１のアクティビティレベルを備える第１の時間期間を識別するための手段と、
ＤＳＲＣアクティビティの第２のアクティビティレベルを備える第２の時間期間を識別するための手段、前記第２のアクティビティレベルは、前記第１のアクティビティレベルと異なる、と、
前記第１の時間期間の間の第１の適応に従って前記少なくとも１つのアクセスタイミングパラメータを適応させるための手段と、
前記第２の時間期間の間の第２の適応に従って前記少なくとも１つのアクセスタイミングパラメータを適応させるための手段、前記第２の適応は、前記第１の適応と異なる、と
をさらに備える、請求項１５に記載の装置。
【請求項１８】
前記ＤＳＲＣスペクトル内のアクティビティレベルを送信するための手段をさらに備える、
請求項１１に記載の装置。
【請求項１９】
前記マルチモードデバイスの前記少なくとも１つのアクセスタイミングパラメータに適用する前記適応を示すアクセスポイント（ＡＰ）から命令を受信するための手段をさらに備え、前記命令は、前記ＤＳＲＣ内のアクティビティレベルに少なくとも部分的に基づく、
請求項１１に記載の装置。
【請求項２０】
前記ＤＳＲＣスペクトルの外側で動作するために、前記ＤＳＲＣスペクトル内で動作している前記マルチモードデバイスの前記少なくとも１つのアクセスタイミングパラメータを適応させるための手段をさらに備える、
請求項１１に記載の装置。
【請求項２１】
専用狭域通信（ＤＳＲＣ）スペクトルを使用するときのアクセスタイミングパラメータを適応させるように構成されたマルチモードデバイスであって、
プロセッサと、
前記プロセッサと電子通信するメモリと、
前記メモリに記憶されている命令と
を備え、前記命令は、
前記ＤＳＲＣスペクトル内で動作するために前記ＤＳＲＣスペクトルの外側で動作しているマルチモードデバイスの少なくとも１つのアクセスタイミングパラメータを適応させることを前記プロセッサによって実行可能であり、前記少なくとも１つのアクセスタイミングパラメータは、前記ＤＳＲＣスペクトルを使用するＤＳＲＣデバイスの送信に優先権を提供するように適応される、
マルチモードデバイス。
【請求項２２】
前記マルチモードデバイスの少なくとも１つのアクセスタイミングパラメータを適応させる前記命令は、
ＤＳＲＣデバイスによって使用されるショートインターフレームスペーシング（ＳＩＦＳ）の期間と少なくとも等しくなるようにＳＩＦＳの期間を増加させることを前記プロセッサによって実行可能である、
請求項２１に記載のマルチモードデバイス。
【請求項２３】
前記マルチモードデバイスの少なくとも１つのアクセスタイミングパラメータを適応させる前記命令は、
ＤＳＲＣデバイスのアクセスタイミングのために使用されるスロット時間に少なくとも等しくなるようにアクセスタイミングのために使用されるスロット時間を増加させることを前記プロセッサによって実行可能であり、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項２１に記載のマルチモードデバイス。
【請求項２４】
前記マルチモードデバイスの少なくとも１つのアクセスタイミングパラメータを適応させる前記命令は、
前記マルチモードデバイスによって使用されるバックオフタイマを適応させることを前記プロセッサによって実行可能である、
請求項２１に記載のマルチモードデバイス。
【請求項２５】
前記命令は、
前記ＤＳＲＣスペクトル内のＤＳＲＣ送信のアクティビティレベルを決定することと
ＤＳＲＣ送信の前記決定されたアクティビティに少なくとも部分的に基づいて非ＤＳＲＣ送信のために前記ＤＳＲＣスペクトルを使用するかどうかを決定することと
を前記プロセッサによって実行可能である、請求項２１に記載のマルチモードデバイス。
【請求項２６】
前記命令は、
前記マルチモードデバイスの前記少なくとも１つのアクセスタイミングパラメータを適応させることを前記プロセッサによって実行可能であり、前記適応させることは、ＤＳＲＣ送信の前記決定されたアクティビティレベルに少なくとも部分的に基づく、
請求項２５に記載のマルチモードデバイス。
【請求項２７】
前記命令は、
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、
請求項２５に記載のマルチモードデバイス。
【請求項２８】
前記命令は、
前記ＤＳＲＣスペクトル内のアクティビティレベルを送信することを前記プロセッサによってさらに実行可能である、
請求項２１に記載のマルチモードデバイス。
【請求項２９】
前記命令は、
前記マルチモードデバイスの前記少なくとも１つのアクセスタイミングパラメータに適用する前記適応を示すアクセスポイント（ＡＰ）から命令を受信することを前記プロセッサによってさらに実行可能であり、前記命令は、前記ＤＳＲＣ内のアクティビティレベルに少なくとも部分的に基づく、
請求項２１に記載のマルチモードデバイス。
【請求項３０】
前記命令は、
前記ＤＳＲＣスペクトルの外側で動作するために、前記ＤＳＲＣスペクトル内で動作している前記マルチモードデバイスの前記少なくとも１つのアクセスタイミングパラメータを適応させることを前記プロセッサによって実行可能である、
請求項２１に記載のマルチモードデバイス。
【請求項３１】
専用狭域通信（ＤＳＲＣ）スペクトルを使用するときのアクセスタイミングパラメータを適応させるコンピュータプログラム製品であって、
前記ＤＳＲＣスペクトル内で動作するために前記ＤＳＲＣスペクトルの外側で動作しているマルチモードデバイスの少なくとも１つのアクセスタイミングパラメータを適応させることをプロセッサによって実行可能である命令を記憶する非一時的コンピュータ可読媒体を備え、前記少なくとも１つのアクセスタイミングパラメータは、前記ＤＳＲＣスペクトルを使用するＤＳＲＣデバイスの送信に優先権を提供するように適応される、
コンピュータプログラム製品。
【請求項３２】
前記マルチモードデバイスの少なくとも１つのアクセスタイミングパラメータを適応させる前記命令は、
前記マルチモードデバイスの少なくとも１つのアクセスタイミングパラメータを適応させることを前記プロセッサによって実行可能である、
請求項３１に記載のコンピュータプログラム製品。
【請求項３３】
前記マルチモードデバイスの少なくとも１つのアクセスタイミングパラメータを適応させる前記命令は、
ＤＳＲＣデバイスのアクセスタイミングのために使用されるスロット時間に少なくとも等しくなるようにアクセスタイミングのために使用されるスロット時間を増加させることを前記プロセッサによって実行可能であり、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項３１に記載のコンピュータプログラム製品。
【請求項３４】
前記マルチモードデバイスの少なくとも１つのアクセスタイミングパラメータを適応させる前記命令は、
前記マルチモードデバイスによって使用されるバックオフタイマを適応させることを前記プロセッサによって実行可能である、
請求項３１に記載のコンピュータプログラム製品。
【請求項３５】
前記命令は、
前記ＤＳＲＣスペクトル内のＤＳＲＣ送信のアクティビティレベルを決定することと、
ＤＳＲＣ送信の前記決定されたアクティビティに少なくとも部分的に基づいて非ＤＳＲＣ送信のために前記ＤＳＲＣスペクトルを使用するかどうかを決定することと
を前記プロセッサによってさらに実行可能である、請求項３１に記載のコンピュータプログラム製品。
【請求項３６】
前記命令は、
前記マルチモードデバイスの前記少なくとも１つのアクセスタイミングパラメータを適応させることを前記プロセッサによってさらに実行可能であり、前記適応は、ＤＳＲＣ送信の前記決定されたアクティビティレベルに少なくとも部分的に基づく、
請求項２５に記載のコンピュータプログラム製品。
【請求項３７】
前記命令は、
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、請求項２５に記載のコンピュータプログラム製品。
【請求項３８】
前記命令は、
前記ＤＳＲＣスペクトル内のアクティビティレベルを送信することを前記プロセッサによってさらに実行可能である、
請求項３１に記載のコンピュータプログラム製品。
【請求項３９】
前記命令は、
前記マルチモードデバイスの前記少なくとも１つのアクセスタイミングパラメータに適用する前記適応を示すアクセスポイント（ＡＰ）から命令を受信することを前記プロセッサによってさらに実行可能であり、前記命令は、前記ＤＳＲＣ内のアクティビティレベルに少なくとも部分的に基づく、
請求項３１に記載のコンピュータプログラム製品。
【請求項４０】
前記命令は、
前記ＤＳＲＣスペクトルの外側で動作するために、前記ＤＳＲＣスペクトル内で動作している前記マルチモードデバイスの前記少なくとも１つのアクセスタイミングパラメータを適応させることを前記プロセッサによって実行可能である、
請求項３１に記載のコンピュータプログラム製品。
【発明の詳細な説明】
【関連出願】
【０００１】
相互参照  
[0001]本特許出願は、本出願の譲受人に譲渡され、２０１３年６月１８日に出願された「Inter-Frame Spacing Adaptation for Yielding to DSRC Operation」と題する、Ｊｏｓｅらによる米国特許出願第１３／９２０，６３８号の優先権を主張する。
【背景技術】
【０００２】
[0002]下記は、概して、ワイヤレス通信に関し、より具体的には、専用狭域通信（ＤＳＲＣ）スペクトルを使用するときのアクセスタイミングパラメータを適応的に修正することに関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス多元接続通信システムは、各々が複数のモバイルデバイスのための通信を同時にサポートする、いくつかの基地局を含み得る。基地局は、ダウンストリームリンクおよびアップストリームリンク上でモバイルデバイスと通信し得る。各基地局は、セルのカバレージエリアと呼ばれることがあるカバレージ範囲を有する。送信のための利用可能な帯域幅は送信のデータレートおよびスループットに影響を及ぼす。帯域幅が増加するにつれて、データレートも増加し得る。
【０００４】
[0004]セルラーネットワークおよびＷｉ−Ｆｉ（登録商標）ネットワーク上で通信し得るデバイス、および／または異なる利用可能なＷｉ−Ｆｉネットワーク上で通信し得るデバイスのような、マルチモードデバイスは、それらの送信のために増加した量の帯域幅を使用することを望み得る。ＤＳＲＣスペクトル中で動作するデバイスに割り振られた帯域幅は、一般に、ＤＳＲＣ関係送信のために使用される。ＤＳＲＣスペクトルを使用してマルチモードデバイスがその帯域幅を拡大すると、これらのＤＳＲＣ関係送信への干渉が生じ得る。したがって、ＤＳＲＣスペクトルが、非ＤＳＲＣ送信を実行するデバイスと共有されるとき、ＤＳＲＣ関係送信への干渉を最小限に抑える技法が望まれる。
【発明の概要】
【０００５】
[0005]ワイヤレス通信のための専用狭域通信（ＤＳＲＣ）スペクトルの共有および使用の管理が説明される。マルチモードデバイスによるＤＳＲＣスペクトルの共有および使用は、デバイスに、ＤＳＲＣスペクトルにおけるプライマリＤＳＲＣデバイスにセカンダリユーザとして動作することを可能にすることによって成し遂げられ得る。マルチモードデバイスは、例えば、最大送信電力、最大パケット期間、ＤＳＲＣスペクトルセンシングの間の間隔、ビームフォーミング、インターフレームスペーシング（ＩＦＳ）パラメータのようなタイミングパラメータ、スロット時間、送信機会（ＴＸＯＰ）、および最小および最大の競合ウィンドウサイズのような、変化する様々なパラメータを通じてＤＳＲＣスペクトルのこれらの使用を制御し得る。
【０００６】
[0006]１つの実施形態では、ＤＳＲＣスペクトルを使用するときのアクセスタイミングパラメータを適応させるための方法が記述される。１つの例では、方法は、ＤＳＲＣスペクトル内で動作する間の少なくとも１つのアクセスタイミングパラメータを適応させるマルチモードデバイスを含み得、少なくとも１つのアクセスタイミングパラメータは、ＤＳＲＣスペクトルを使用するＤＳＲＣデバイスの送信に優先権を提供するように適応される。マルチモードデバイスは、例えば、ＤＳＲＣデバイスによって使用されるショートインターフレームスペーシング（ＳＩＦＳ）の期間と少なくとも等しくなるようにＳＩＦＳの期間を増加させ得る。
【０００７】
[0007]１つの実施形態では、専用狭域通信（ＤＳＲＣ）スペクトルを使用するときのアクセスタイミングパラメータを適応させるための方法が記述される。１つの例では、ＤＳＲＣスペクトルの外側で動作するマルチモードデバイスの少なくとも１つのアクセスタイミングパラメータは、ＤＳＲＣスペクトル内で動作するように適応される。少なくとも１つのアクセスタイミングパラメータは、ＤＳＲＣスペクトルを使用するＤＳＲＣデバイスの送信に優先権を提供するように適応され得る。
【０００８】
[0008]少なくとも１つのアクセスタイミングパラメータの適応は、ＤＳＲＣデバイスによって使用されるショートインターフレームスペーシング（ＳＩＦＳ）の期間に少なくとも等しくなるようにＳＩＦＳの期間を増加すること、ＤＳＲＣデバイスのアクセスタイミングのために使用されるスロット時間に少なくとも等しくなるようにアクセスタイミングのために使用されるスロット時間を増加すること、またはマルチモードデバイスによって使用されるバックオフタイマを適応させることのうちの１つまたは複数を含み得る。１つの構成では、増加したスロット時間は、分散協調機能（ＤＣＦ）インターフレームスペーシング（ＤＩＦＳ）の増加した期間、拡張インターフレームスペーシング（ＥＩＦＳ）の増加した期間、および／またはアービトレーションインターフレームスペーシング（ＡＩＦＳ）の増加した期間を計算するために使用され得る。
【０００９】
[0009]いくつかの例では、方法は、ＤＳＲＣスペクトル内のＤＳＲＣ送信のアクティビティレベルを決定することと、ＤＳＲＣ送信の決定されたアクティビティレベルに少なくとも部分的に基づいて非ＤＳＲＣ送信のためにＤＳＲＣスペクトルを使用するかどうか決定することとをさらに含み得る。ＤＳＲＣスペクトルを使用すると決定すると、マルチモードデバイスの少なくとも１つのアクセスタイミングパラメータは、ＤＳＲＣ送信の決定されたアクティビティレベルに少なくとも部分的に基づいて適応され得る。他の例では、方法は、ＤＳＲＣ送信の第１のアクティビティレベルを備える第１の時間期間を識別することと、ＤＳＲＣアクティビティの第２のアクティビティレベルを備える第２の時間期間を識別すること、第２のアクティビティレベルは、第１のアクティビティレベルと異なる、と、第１の時間期間の間、第１の適応にしたがって少なくとも１つのアクセスタイミングパラメータを適応させることと、第２の時間期間の間、第２の適応にしたがって少なくとも１つのアクセスタイミングパラメータを適応させることとをさらに備え、第２の適応は、第１の適応と異なる。
【００１０】
[0010]さらなる例では、方法はまた、ＤＳＲＣスペクトル内のアクティビティレベルを送信すること、マルチモードデバイスの少なくとも１つのアクセスタイミングパラメータに適用するために適応を示すアクセスポイント（ＡＰ）からの命令を受信すること、命令は、ＤＳＲＣ内のアクティビティレベルに少なくとも部分的に基づく、または、ＤＳＲＣスペクトルの外側で動作するようにＤＳＲＣスペクトル内で動作するマルチモードデバイスの少なくとも１つのアクセスタイミングパラメータを適応させること、のうちの１つまたは複数を含む。
【００１１】
[0011]ＤＳＲＣスペクトルを使用するときのアクセスタイミングパラメータを適応させるための装置がまた、説明される。装置は、ＤＳＲＣスペクトル内で動作するようにＤＳＲＣスペクトルの外側で動作するマルチモードデバイスの少なくとも１つのアクセスタイミングパラメータを適応させるための手段を含み、少なくとも１つのアクセスタイミングパラメータは、ＤＳＲＣスペクトルを使用するＤＳＲＣデバイスの送信に優先権を提供するように適応されている。
【００１２】
[0012]ＤＳＲＣスペクトルを使用するときのアクセスタイミングパラメータを適応させるように構成されたマルチモードデバイスがまた説明される。デバイスは、プロセッサと、プロセッサと電子通信するメモリを含む。命令は、メモリ中に記憶され得る。命令または、ＤＳＲＣスペクトル内で動作するようにＤＳＲＣスペクトルの外側で動作するマルチモードデバイスの少なくとも１つのアクセスタイミングパラメータを適応させるように少なくとも１つのプロセッサによって実行可能であり得、少なくとも１つのアクセスタイミングパラメータは、ＤＳＲＣスペクトルを使用するＤＳＲＣデバイスの送信に優先権を提供するように適応されている。
【００１３】
[0013]ＤＳＲＣスペクトルを使用するときのアクセスタイミングパラメータを適応させるコンピュータプログラム製品はまた説明される。コンピュータプログラム製品は、ＤＳＲＣスペクトル内で動作するようにＤＳＲＣスペクトルの外側で動作するマルチモードデバイスの少なくとも１つのアクセスタイミングパラメータを適応させるようにプロセッサによって実行可能な命令を記憶する非一時的コンピュータ可読媒体を含み、少なくとも１つのアクセスタイミングパラメータは、ＤＳＲＣスペクトルを使用するＤＳＲＣデバイスの送信に優先権を提供するように適応されている。
【図面の簡単な説明】
【００１４】
[0014]以下の図面を参照すれば、本発明の性質および利点のさらなる理解が得られ得る。添付された図では、同様の構成要素または機能は同じ参照ラベルを有することがある。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図１】ワイヤレス通信システムのブロック図。
【図２】周波数スペクトルに沿った周波数帯域割振りを示す図。
【図３】様々な実施形態による、マルチモードデバイスの一例を示すブロック図。
【図４】通信のためにＤＳＲＣスペクトルを使用するときの１つまたは複数のパラメータを適応させ得るマルチモードデバイスの別の例を示すブロック図。
【図５】ＤＳＲＣスペクトルの少なくとも一部分を使用して動作し得るマルチモードデバイスの例を示すブロック図。
【図６】ＤＳＲＣスペクトルの使用を管理するために構成され得る通信システムのブロック図。
【図７】ＤＳＲＣスペクトルの使用を管理するために、マルチモードデバイスとアクセスポイントとの間の通信の１つの例を示すメッセージフローチャート。
【図８】通信のために使用され得る周波数スペクトルに沿った様々な周波数帯域のための帯域幅割り振りを示す図。
【図９】ＤＳＲＣスペクトルを使用するときのアクセスタイミングを適応させる方法の１つの実施形態を示すフローチャート。
【図１０】ＤＳＲＣスペクトルを使用するときのアクセスタイミングを適応させるための方法のさらなる実施形態を示すフローチャート。
【図１１】ＤＳＲＣスペクトルを使用するときのアクセスタイミングを適応させるための方法の別の実施形態を示すフローチャート。
【発明を実施するための形態】
【００１５】
[0026]情報およびデータは、利用可能な帯域幅の量に基づいてより迅速におよび効率的に転送され得る。帯域幅のサイズ（たとえば、幅）は、（たとえば、一般にヘルツ単位で測定される）周波数の連続範囲中の最高周波数と最低周波数との間の差であり得る。しばしば、データレート制限（たとえば、チャネル容量、転送され得る情報量）は帯域幅のサイズに比例する。たとえば、８０ＭＨｚの帯域幅は、４０ＭＨｚの帯域幅よりも高いデータレート制限を有することになる。その結果、より高いデータレートをサポートするために、より多くの帯域幅が必要とされ得る。帯域幅はスペクトル（たとえば、無線スペクトル）の少なくとも一部分を占有する。その結果、帯域幅の増加はスペクトルの増加を必要とする。しかしながら、追加のスペクトルを得ることは困難であり得る。
【００１６】
[0027]たいていの場合、スペクトル使用は規制されている（たとえば、割り振られている）。たとえば、米国では、スペクトル使用は連邦通信委員会（ＦＣＣ）によって規制されている。米国では、ＦＣＣは、５．１５〜５．２５ＧＨｚ（たとえば、Ｕ−ＮＩＩ  １）周波数帯域、５．２５〜５．３５ＧＨｚ（たとえば、Ｕ−ＮＩＩ  ２）周波数帯域、５．４７〜５．７２５ＧＨｚ（たとえば、Ｕ−ＮＩＩ  ＷＷ）周波数帯域、および５．７２５〜５．８２５ＧＨｚ（たとえば、Ｕ−ＮＩＩ  ３）周波数帯域を無免許全米インフラストラクチャ（Ｕ−ＮＩＩ）スペクトルとして割り振り、５．８５〜５．９２５ＧＨｚ周波数帯域を専用狭域通信（ＤＳＲＣ）スペクトルとして割り振っている。したがって、帯域幅は、割り振られたスペクトル中の割り当てられた空間に制約され得る。結果として、割り振られたスペクトルの有限の制約により、利用可能な帯域幅（または、たとえば、データレート限界）を増加させることが可能でないことがある。以下で議論されることになるように、スペクトル共有は、利用可能な帯域幅を増加させるために使用され得る。
【００１７】
[0028]１つの例では、本明細書で説明するシステムおよび方法は、Ｕ−ＮＩＩスペクトル帯域中で動作するマルチモードデバイスが、帯域幅を増加させるためにＤＳＲＣスペクトル帯域を日和見使用することを可能にし得る。たとえば、本明細書で説明するシステムおよび方法は、Ｕ−ＮＩＩユーザ（たとえば、無免許Ｗｉ−Ｆｉユーザ）が、他のＤＳＲＣデバイスのためのスペクトルに対してより高い優先権アクセスを維持する間、ＤＳＲＣスペクトルを使用することを可能にし得る。いくつかの構成では、マルチモードデバイスは、ＤＳＲＣスペクトルを使用するＤＳＲＣデバイスの送信に優先権を提供する１つまたは複数のタイミングパラメータを適応させ得る。本明細書に使用されるように、マルチモードデバイスは、ＤＳＲＣスペクトル中、およびＤＳＲＣスペクトルの外側で動作することができるＷｉ−Ｆｉデバイスであり得る。マルチモードデバイスはまた、限定されないが、Ｗｉ−Ｆｉネットワーク、ＷＬＡＮ、セルラーネットワーク、等のような多重ネットワーク中で動作することが可能なデバイスであり得る。１つの実施形態では、マルチモードデバイスは、セルラーサポートを有し得ず、セルラーネットワーク上で通信することができ得ない。
【００１８】
[0029]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００１９】
[0030]最初に図１を参照すると、図は、ワイヤレス通信システム１００の一例を示している。システム１００は、（たとえば、ＤＳＲＣ通信システム中の）ＤＳＲＣスペクトル内で動作するＤＳＲＣ基地局１０５とＤＳＲＣデバイス１１５とを含む。システム１００はまた、ＤＳＲＣスペクトルの外側で動作するアクセスポイント１２５とマルチモードデバイス１３５とを含む。１つの例では、アクセスポイント１２５およびマルチモードデバイス１３５は、（たとえば、Ｗｉ−Ｆｉ通信システム中の）Ｕ−ＮＩＩスペクトル中で動作し得る。
【００２０】
[0031]ＦＣＣは、最初に、ＤＳＲＣスペクトルを自動車使用（たとえば、インテリジェントトランスポートシステム）のために割り振った。ＤＳＲＣ通信の例は、車両用緊急警報、協調適応走行制御、協調衝突警報、交差点衝突回避、電子駐車支払い、車両内シグナリング、自動料金収受、等を含む。ＤＳＲＣ通信リンク１２０は、ＤＳＲＣデバイス１１５とＤＳＲＣ基地局１０５との間、またはＤＳＲＣデバイス１１５と別のＤＳＲＣデバイス１１５との間に存在し得る。場合によっては、ＤＳＲＣデバイス１１５間のＤＳＲＣ通信リンク１２０は、ＤＳＲＣ基地局１０５のカバレージエリア１１０の外側に生じ得る。いくつかの実施形態では、ＤＳＲＣ基地局１０５は、ワイヤードまたはワイヤレス通信リンクであり得るバックホールリンク１３４を介して、直接または間接のいずれかで、互いに通信し得る。
【００２１】
[0032]ＤＳＲＣデバイス１１５は、ワイヤレス通信システム１００全体にわたって分散され、各ＤＳＲＣデバイス１１５はステイショナリーまたはモバイルであり得る。ＤＳＲＣデバイス１１５は、車両、交通信号、踏切、基地局、セルラーフォン、携帯情報端末（ＰＤＡ）などであり得る。ＤＳＲＣデバイス１１５はＤＳＲＣ基地局１０５および他のＤＳＲＣデバイス１１５と通信することが可能であり得る。各ＤＳＲＣ基地局１０５はそれぞれのＤＳＲＣ地理的エリア１１０に通信カバレージを提供し得る。
【００２２】
[0033]マルチモードデバイス１３５はまた、ワイヤレス通信システム１００にわたって分散され得る。各デバイス１３５は、ステイショナリーまたはモバイルであり得る。デバイス１３５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアント、または何らかの他の好適な用語で呼ばれることもある。マルチモードデバイス１３５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等であり得る。
【００２３】
[0034]マルチモードデバイス１３５は、通信基地局１２５および／または他の通信デバイス１３５と通信することが可能であり得る。通信基地局１２５のサイトの各々は、それぞれの通信地理的エリア１３０に通信カバレージを提供し得る。通信リンク１４０はまた、デバイス１３５とアクセスポイント１２５および／またはマルチモードデバイス１３５との間の通信を提供し得る。いくつかの実施形態では、アクセスポイント１２５は、基地トランシーバ局、無線基地局、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。アクセスポイント１２５のためのカバレージエリア１３０は、カバレージエリアの一部分のみを構成するセクタ（図示せず）に分割され得る。
【００２４】
[0035]通信システム１００はまた、複数のキャリア（異なる周波数の波形信号）上での動作をサポートし得る。マルチキャリア送信機は、複数のキャリア上で同時に被変調信号を送信し得る。たとえば、各通信リンク１４０（および、たとえば、ＤＳＲＣ通信リンク１２０）は、様々な無線技術に従って変調されたマルチキャリア信号であり得る。変調された信号の各々は、異なるキャリア上で送られ得、制御情報（たとえば、基準信号、制御チャネルなど）、オーバーヘッド情報、データなどを搬送し得る。
【００２５】
[0036]図１に示されるように、アクセスポイント１２５のカバレージエリア１３０は、ＤＳＲＣ基地局１０５のカバレージエリア１１０とオーバーラップし得る。一般的なシナリオでは、ＤＳＲＣ通信システムがＤＳＲＣスペクトル中で動作しており、他の通信システムがＤＳＲＣスペクトルの外側で（たとえば、Ｕ−ＮＩＩスペクトル中で）動作しているので、オーバーラップするカバレージエリア（または、たとえば、１つまたは複数のカバレージエリアの外側でのオーバーラップする使用）は、干渉を生じ得ない。しかしながら、いくつかの実施形態では、本明細書で説明するシステムおよび方法は、ＤＳＲＣ通信システムに対して干渉を生じ得るアクセスポイント１２５および／またはマルチモードデバイス１３５によるＤＳＲＣスペクトルの共有のための技法について説明する。１つの例では、マルチモード通信デバイス１３５は、ＤＳＲＣスペクトルを使用する送信に優先権を提供するようにアクセスタイミングパラメータを適応させ得る。追加または代替として、デバイス１３５は、たとえば、ＤＳＲＣデバイスによって使用されるショートインターフレームスペーシング（ＳＩＦＳ）の期間に少なくとも等しくなるようにＳＩＦＳの期間を増加し、それによって、ＤＳＲＣスペクトルを使用する送信のためにより高い優先権をＤＳＲＣデバイスに提供し得る。追加または代替として、マルチモード通信デバイス１３５は、ＤＳＲＣスペクトル内で現在動作するＤＳＲＣデバイス１１５のアクティビティレベルに基づいてＤＳＲＣスペクトルの少なくとも一部分を日和見的に使用し得る。追加または代替として、マルチモード通信デバイス１３５が道路、高速道路、空港、等のような、ＤＳＲＣ送信に帰属するエリアからある距離離れて位置する場合、マルチモード通信デバイス１３５は、デバイスの現在位置を示す位置情報を決定し、ＤＳＲＣスペクトル内で動作し始め得る。追加または代替として、マルチモード通信デバイス１３５は、ＤＳＲＣスペクトルの外側で動作する間、第１のクロックレートを使用し、ＤＳＲＣスペクトルを使用する送信を検出するために第２のクロックレートに切り替え得る。
【００２６】
[0037]図２は、５ＧＨｚスペクトル２００中の様々なスペクトル割振りの例示的な概観を示す。図２に示されているように、５ＧＨｚスペクトル２００は、Ｕ−ＮＩＩ  １周波数帯域２０５（たとえば、５１７０〜５２５０ＭＨｚ）と、Ｕ−ＮＩＩ  ２周波数帯域２１０（たとえば、５２５０〜３５０ＭＨｚ）と、Ｕ−ＮＩＩ  ＷＷ周波数帯域２１５（たとえば、５４７０〜５７２５ＭＨｚ）と、Ｕ−ＮＩＩ  ３周波数帯域２２０（たとえば、５７２５〜５８２５ＭＨｚ）と、ＤＳＲＣ周波数帯域２２５（たとえば、５８５０〜５９２５ＭＨｚ）とを含む。
【００２７】
[0038]各周波数帯域は、１つまたは複数のチャネルを使用するために割り振られ得る。各チャネルは帯域幅（たとえば、１０ＭＨｚ、２０ＭＨｚ、４０ＭＨｚ、８０ＭＨｚ、１６０ＭＨｚなど）を占有し得る。上述のように、増加した帯域幅は、より高いデータレートを生じ得る。結果として、チャネルの数を増加させることおよび／またはチャネルの帯域幅を増加させることが望ましいことがある。残念ながら、スペクトル割振りは、チャネルの数および／またはサイズを制限し得る。たとえば、（たとえば、８０ＭＨｚを占有する）Ｕ−ＮＩＩ  １周波数帯域２０５は、（たとえば、チャネルインデックス３６、４０、４４、および４８をもつ）最高４つの２０ＭＨｚチャネル２３０、最高２つの４０ＭＨｚチャネル２３５、または１つの８０ＭＨｚチャネル２４０をサポートし得る。同様に、Ｕ−ＮＩＩ２周波数帯域２１０は、（たとえば、チャネルインデックス５２、５６、６０、および６４をもつ）最高４つの２０ＭＨｚチャネル２３０、最高２つの４０ＭＨｚチャネル２３５、または１つの８０ＭＨｚチャネル２４０をサポートし得る。結果として、Ｕ−ＮＩＩ  １周波数帯域２０５とＵ−ＮＩＩ  ２周波数帯域２１０のいずれも、個々に１６０ＭＨｚチャネル２４５をサポートし得ない。いくつかのデバイス（たとえば、Ｗｉ−Ｆｉデバイス）はＵ−ＮＩＩ  １周波数帯域２０５とＵ−ＮＩＩ  ２周波数帯域２１０の両方にわたって動作し得る。結果として、Ｕ−ＮＩＩ  １周波数帯域２０５とＵ−ＮＩＩ  ２周波数帯域２１０とは、５１７０〜５３５０ＭＨｚ周波数帯域を生じるように効果的に組み合わせられ得る。したがって、１６０ＭＨｚチャネル２４５（たとえば、５１７０〜５３３０ＭＨｚ）がサポートされ得る。
【００２８】
[0039]図２に示されているように、Ｕ−ＮＩＩ  ３周波数帯域２２０（たとえば、５７２５〜５８２５ＭＨｚ）は、（たとえば、チャネルインデックス１４９、１５３、１５７、１６１、および１６５をもつ）最高５つの２０ＭＨｚチャネル２３０、最高２つの４０ＭＨｚチャネル２３５、または１つの８０ＭＨｚチャネル２４０をサポートし得る。一般に、ＤＳＲＣ周波数帯域２２５は、１０ＭＨｚチャネルを使用するＤＳＲＣ通信をサポートする。場合によっては、本明細書で説明するシステムおよび方法は（たとえば、セカンダリユーザとして）ＤＳＲＣ周波数帯域を日和見的に使用し得る。１つの実施形態では、マルチモードデバイスは、ＤＳＲＣスペクトルを使用し、ＤＳＲＣスペクトルを使用する送信に優先権を提供するためにアクセスタイミングパラメータを適応させ得る。結果として、Ｕ−ＮＩＩ  ３周波数帯域２２０とＤＳＲＣ周波数帯域２２５とは、５７２５〜５９２５ＭＨｚ周波数帯域を生じるように効果的に組み合わせられ得る。したがって、組み合わせられた周波数帯域は、（たとえば、チャネルインデックス１４９、１５３、１５７、１６１、１６５、１６９、１７３、１７７、および１８１をもつ）最高９つの２０ＭＨｚチャネル２３０と、最高４つの４０ＭＨｚチャネル２３５と、最高２つの８０ＭＨｚチャネル２４０と、最高１つの１６０ＭＨｚチャネル２４５とをサポートし得る。したがって、ＤＳＲＣスペクトルの共有は、利用可能なチャネルの数および／または利用可能なチャネルのサイズを実質的に増加させ得る。１つの例では、Ｕ−ＮＩＩ周波数帯域およびＤＳＲＣ周波数帯域にわたるスペクトル共有は、最高２９個の２０ＭＨｚチャネル２３０と、最高１４個の４０ＭＨｚチャネル２３５と、最高７つの８０ＭＨｚチャネル２４０と、最高３つの１６０ＭＨｚチャネル２４５とをサポートし得る。これらの増加は、（たとえば、より高いスループットを可能にする）増加したデータレートを可能にし得る。たとえば、増加したデータレートは、高精細度ビデオフォーマット（たとえば、超高精細度テレビジョン（ＵＨＤＴＶ））を送信するために使用され得る。
【００２９】
[0040]図３は、マルチモードデバイス１３５−ａのブロック図３００である。これは、図１のマルチモードデバイス１３５であり得る。デバイス１３５−ａは、Ｗｉ−Ｆｉデバイス、パーソナルコンピュータ（たとえば、ラップトップコンピュータ、ネットブックコンピュータ、タブレットコンピュータなど）、携帯電話、携帯情報端末（ＰＤＡ）、デジタルビデオレコーダ（ＤＶＲ）、インターネットアプライアンス、ゲーミングコンソール、電子リーダーなどのような、様々な構成のいずれかを有し得る。デバイス１３５−ａは、モバイル動作を容易にするために、小型バッテリーのような、内部電源（図示せず）を有し得る。
【００３０】
[0041]デバイス１３５−ａは、アンテナアンテナ３３５と、トランシーバモジュール３３０と、メモリ３１５と、プロセッサモジュール３１０とを含み得、その各々は、（たとえば、１つまたは複数のバスを介して）互いに直接または間接的に通信し得る。トランシーバモジュール３３０は、以上で説明したように、アンテナ３３５ならびに／あるいは１つまたは複数のワイヤードもしくはワイヤレスリンクを介して、１つまたは複数のネットワークと双方向に通信するように構成される。たとえば、トランシーバモジュール３３０は、図１のアクセスポイント１２５と双方向に通信するように構成され得る。トランシーバモジュール３３０は、パケットを変調し、変調されたパケットを送信のためにアンテナ３３５に提供し、アンテナ３３５から受信されたパケットを復調するように構成されたモデムを含み得る。デバイス１３５−ａが単一のアンテナを含み得る一方、マルチモードデバイス１３５−ａは、複数のリンクのための複数のアンテナを含み得る。
【００３１】
[0042]メモリ３１５は、ランダムアクセスメモリ（ＲＡＭ）および／または読取り専用メモリ（ＲＯＭ）を含み得る。メモリ３１５は、実行されるとプロセッサモジュール３１０に、本明細書で説明する様々な機能（たとえば、ＤＳＲＣ管理、アクセスタイミングパラメータを適応、等）を実行させるように構成された命令を含んでいるコンピュータ可読なコンピュータ実行可能なソフトウェアコード３２０を記憶し得る。代替的に、ソフトウェア３２０は、プロセッサモジュール３１０によって直接的に実行可能でないことがあるが、（たとえば、コンパイルされ実行されると）コンピュータに、本明細書で説明する機能を実行させるように構成され得る。
【００３２】
[0043]プロセッサモジュール３１０は、インテリジェントハードウェアデバイス、たとえば、中央処理ユニット（ＣＰＵ）、マイクロ制御器、特定用途向け集積回路（ＡＳＩＣ）、等を含み得る。プロセッサモジュール３１０は、マイクロフォンを介してオーディオを受信し、そのオーディオを、受信したオーディオを表す（たとえば、長さ３０ｍｓの）パケットに変換し、そのオーディオパケットをトランシーバモジュール３３０に提供し、ユーザが話しているかどうかのインジケーションを提供するように構成された、音声符号化器（図示せず）を含み得る。代替的に、符号化器はパケットのみをトランシーバモジュール３３０に提供し、パケット自体の供給または抑制／抑圧が、ユーザが話しているかどうかのインジケーションを与え得る。
【００３３】
[0044]図３のアーキテクチャによれば、デバイス１３５−ａはさらに、通信管理モジュール３２５および状態モジュール３４０を含み得る。通信管理モジュール３２５は、他のデバイス１３５との通信を管理し得る。例の目的で、通信管理モジュール３２５は、バスを介してマルチモードデバイス１３５−ａの他の構成要素の一部または全部と通信しているマルチモードデバイス１３５−ａの構成要素であり得る。代替的に、通信管理モジュール３２５の機能は、トランシーバモジュール３３０の構成要素として、コンピュータプログラム製品として、および／またはプロセッサモジュール３１０の１つまたは複数の制御器要素として実装され得る。状態モジュール３４０は、現在のデバイス状態（たとえば、コンテキスト、認証、基地局関連、他の接続問題）を反映し制御し得る。
【００３４】
[0045]デバイス１３５−ａはさらに、ＤＳＲＣスペクトル管理モジュール３０５を含み得る。管理モジュール３０５は、デバイス１３５−ａが専用ＤＳＲＣスペクトル内で動作するかどうかを管理し得る。モジュール３０５は、多数のファクタに基づいて専用スペクトル内で動作するとの決定を行い得る。たとえば、モジュール３０５は、他のデバイスからのＤＳＲＣスペクトル内での現在のアクティビティレベルに基づいてスペクトル内での動作を許容し得る。管理モジュール３０５は、ＤＳＲＣスペクトルで動作するデバイスのアクティビティを検出するために、デバイス１３５−ａの１つまたは複数のパラメータまたは動作を修正し得る。追加として、デバイス１３５−ｂがスペクトル内で動作することを可能にする決定は、マルチモードデバイス１３５−ａの現在のロケーションに基づき得る。ＤＳＲＣスペクトル中で動作している間、管理モジュール３０５は、マルチモードデバイス１３５−ａの１つまたは複数の通信パラメータを変更し得る。これらのパラメータは、場合によっては、ＤＳＲＣ送信に起因するデバイスから発信した通信に優先権を与えるために変更され得る。いくつかの例では、管理モジュール３０５は、ＤＳＲＣスペクトルを使用するＤＳＲＣデバイスの送信に優先権を与えるためにアクセスタイミングパラメータを適応させ得る。
【００３５】
[0046]デバイス１３５−ａの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で既知の任意の方式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及されたモジュールの各々は、デバイス１３５−ａの動作に関係する１つまたは複数の機能を実行するための手段であり得る。
【００３６】
[0047]図４は、通信のためにＤＳＲＣスペクトルの使用を管理するために使用され得る、マルチモードデバイス１３５−ｂの一例を示すブロック図４００である。デバイス１３５−ｂは、図１および／または図３を参照して説明したマルチモードデバイス１３５の１つまたは複数の態様の一例であり得る。デバイス１３５−ｂは、受信機モジュール４０５、ＤＳＲＣスペクトル共有モジュール３０５−ａ、および送信機モジュール４２５を含み得る。これらの構成要素の各々は、互いに通信中であり得る。
【００３７】
[0048]マルチモードデバイス１３５−ｂの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００３８】
[0049]受信機モジュール４０５は、Ｗｉ−Ｆｉ受信機であり、様々なＷｉ−Ｆｉ信号を受信し得る。受信機モジュール４０５は、セルラー受信機であり、ある場合では、ＬＴＥ／ＬＴＥ−Ａ受信機であり得る。いくつかの場合では、受信機は、Ｕ−ＮＩＩスペクトル中の（たとえば、Ｗｉ−Ｆｉ通信システム中の）受信信号に対して動作し得る。いずれにしても、受信機モジュール４０５は、図１で示されるワイヤレス通信システム１００のような、ワイヤレス通信システムにわたる様々なタイプのデータおよび／または制御信号を受信するために使用され得る。データおよび／または制御信号は、アップリンク許可のためにリソースの可用性を示す信号を含み得る。受信機モジュール４０５は、ＤＳＲＣスペクトルの一部を使用してデータおよび／または制御信号を受信するように構成され得る。
【００３９】
[0050]送信機モジュール４２０はまた、Ｗｉ−Ｆｉ接続にわたって送信することができるＷｉ−Ｆｉ送信機であり得る。送信機４２０は、セルラー送信機であり、いくつかの場合ではＬＴＥ／ＬＴＥ−Ａ送信機であり得る。いくつかの場合では、送信機は、Ｕ−ＮＩＩスペクトルにおける（たとえば、Ｗｉ−Ｆｉ通信システムにおける）信号を送信するために動作し得る。いずれにしても、送信機モジュール４２０は、ワイヤレス通信システム１００のようなワイヤレス通信システムわたって様々なタイプのデータおよび／または制御信号を送信するために使用され得る。データおよび／または制御信号はまた、ＤＳＲＣスペクトルの一部分を使用して送信され得る。
【００４０】
[0051]ＤＳＲＣスペクトル管理モジュール３０５−ａは、データおよび／または制御信号がＤＳＲＣスペクトルを使用して受信される／送信されるかどうかを決定し得る。１つの実施形態では、モジュール３０５−ａは、アクセスタイミングパラメータモジュール４１０およびＤＳＲＣスペクトルアクセスモジュール４１５を含み得る。１つの例では、アクセスタイミングパラメータモジュール４１０は、送信機および／または受信機がＤＳＲＣスペクトルを使用して動作しているときの１つまたは複数のアクセスタイミングパラメータを適応させ得る。１つの構成では、ＤＳＲＣスペクトルアクセスモジュール４１５は、アクセスタイミングパラメータモジュール４１０によって決定されたアクセスタイミングパラメータに少なくとも部分的に基づいてＤＳＲＣスペクトルの少なくとも一部分にアクセスし得る。
【００４１】
[0052]例えば、マルチモードデバイス１３５−ｂは、最初に、ＤＳＲＣスペクトルの外側で動作しており、アクセスタイミングパラメータモジュール４１０は、ＤＳＲＣスペクトル内で動作するように１つまたは複数のアクセスタイミングパラメータを適応させ得る。アクセスタイミングパラメータは、ＤＳＲＣスペクトルを使用するＤＳＲＣデバイスの送信に優先権を提供するように適応され得る。アクセスタイミングパラメータモジュール４１０は、たとえば、ＤＳＲＣデバイスによって使用されるショートインターフレームスペーシング（ＳＩＦＳ）の期間に少なくとも等しくなるようにＳＩＦＳの期間を増加させ得る。追加または代替として、アクセスタイミングパラメータモジュール４１０は、ＤＳＲＣデバイスのアクセスタイミングのために使用されたスロット時間に少なくとも等しくなるようにアクセスタイミングのために使用されるスロット時間を増加させ得る。そのような増加したスロット時間は、分散協調機能（ＤＣＦ）インターフレームスペーシング（ＤＩＦＳ）の増加した期間、拡張インターフレームスペーシング（ＥＩＦＳ）の増加した期間、またはアービトレーションインターフレームスペーシング（ＡＩＦＳ）の増加した期間のうちの１つまたは複数を計算するために使用され得る。いくつかの場合では、アクセスタイミングパラメータモジュール４１０は、マルチモードデバイス１３５−ｂによって使用されるバックオフタイマを適応させ得る。アクセスタイミングパラメータモジュール４１０は、いくつかの例では、アクセスタイミングパラメータに適用するために、適応を示すアクセスポイント（ＡＰ）からの命令を受信し得る。他の例では、アクセスタイミングパラメータモジュール４１０は、ＤＳＲＣデバイスのＤＳＲＣスペクトル内のアクティビティレベルのような、１つまたは複数の条件に基づいてアクセスタイミングパラメータを自律的に決定し得る。さらに他の例では、アクセスタイミングパラメータモジュール４１０は、ＤＳＲＣスペクトルの外側で動作するために、ＤＳＲＣスペクトル内で動作しているマルチモードデバイス１３５−ｂのアクセスタイミングパラメータを適応させ得る。
【００４２】
[0053]図５は、ＤＳＲＣスペクトルの少なくとも一部分を使用して動作し得るマルチモードデバイス１３５−ｃの一例を示すブロック図５００である。デバイス１３５−ｃは、図１、図３および／または図４を参照して説明したマルチモードデバイス１３５の１つまたは複数の態様の一例であり得る。デバイス１３５−ｃは、受信機モジュール４０５、ＤＳＲＣスペクトル管理モジュール３０５−ｂ、および／または送信機モジュール４２５を含み得る。これらの構成要素の各々は、互いに通信中であり得る。
【００４３】
[0054]デバイス１３５−ｃの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で既知の任意の方式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００４４】
[0055]１つの実施形態では、受信機モジュール４０５および送信機モジュール４２０は、以上で説明したように動作するように構成され得る。ＤＳＲＣ管理モジュール３０５−ｂは、アクティビティレベル決定モジュール５０５と、アクセスタイミングパラメータモジュール４１０−ａと、ＤＳＲＣスペクトルアクセスモジュール４１５−ａとを含み得る。アクティビティレベル決定モジュール５０５は、いくつかの例では、ＤＳＲＣスペクトル内でのＤＳＲＣ送信のアクティビティレベルを決定し得る。そのような決定は、たとえば、ＤＳＲＣスペクトル内でのＤＳＲＣデバイスの送信のためにモニタすることによって行われ得る。ＤＳＲＣ送信のアクティビティレベルに基づいて、ＤＳＲＣスペクトルアクセスモジュール４１５−ａは、非ＤＳＲＣ送信のためのＤＳＲＣスペクトルに使用するかどうかを決定し得る。いくつかの実施形態では、ＤＳＲＣスペクトルを使用すると決定すると、アクセスタイミングパラメータモジュール４１０−ａは、マルチモードデバイス１３５−ｃの１つまたは複数のアクセスタイミングパラメータを適応させ得る。いくつかの例では、タイミングパラメータ適応は、ＤＳＲＣ送信の決定されたアクティビティレベルに少なくとも部分的に基づき得る。例えば、アクセスタイミングパラメータモジュール４１０−ａは、比較的低レベルのＤＳＲＣアクティビティでのＤＳＲＣデバイスによって使用されるＳＩＦＳの期間に少なくとも等しくなるようにＳＩＦＳの期間を増加させ、より高いレベルのＤＳＲＣアクティビティでのＳＩＦＳの期間をさらに増加させ得る。ＤＳＲＣアクティビティがしきい値合計を超える場合、ＤＳＲＣスペクトルアクセスモジュール４１５−ａは、マルチモードデバイス１３５−ｃがＤＳＲＣスペクトルを使用していないとすれば、非ＤＳＲＣスペクトルを使用することを単に継続し得る、またはマルチモードデバイス１３５−ｃがＤＳＲＣスペクトルを使用しているとすれば、デバイス１３５−ｃをＤＳＲＣスペクトル使用から切り替え得る。
【００４５】
[0056]いくつかの例では、デバイス１３５−ｃは、ＤＳＲＣスペクトル中で動作し得、ＤＳＲＣスペクトルアクセスモジュール４１５−ａは、低い優先権のサービス品質（ＱｏＳ）クラスを通じてＤＳＲＣスペクトル使用を制限し得る。ＱｏＳクラスは、いくつかの例では、式、ＡＩＦＳ＝ＳＩＦＳ＋ＳＩＦＳＮ＊スロット時間、中で使用されるＳＩＦＳＮの値を修正することによって決定される。ここで、ＡＩＦＳは、アービトレーションインターフレームスペーシングである。より低い優先権は、たとえば、ＳＩＦＳＮのために比較的大きな値を選択することによってＤＳＲＣスペクトル中で動作している間のデバイス１３５−ｃに与えられ得る。追加または代替として、デバイス１３５−ｃがＤＳＲＣスペクトル中で動作することによって、比較的より低いＱｏＳを提供するとき、競合ウィンドウ（ＣＷ）の最小値および最大値は、より長い値に変更され得る。
【００４６】
[0057]さらに、単一チャネル無線を受け入れる（単一シングル１０ＭＨｚのチャネル上でのみ受信または送信する）ために、ＤＳＲＣ基準は、ＦＤＭＡ／ＴＤＭＡチャネルアクセスメカニズムを許容する。このメカニズムに従って、時間は、反復的な１００ｍｓ期間に分割される。第１の５０ｍｓは、制御チャネル（ＣＣＨ）に割り当てられ、第２の５０ｍｓは、共有チャネル（ＳＣＨ）に割り当てられ得る。ＤＳＲＣ通信の多くの安全性タイプメッセージ（safety-type message）は、第１の５０ｍｓ期間の間にＣＣＨ上で送信されることになる。結果として、多くの重要なＤＳＲＣアクティビティは、各１００ｍｓ期間のうちの第１の５０ｍｓの間に生じ得る。いくつかの実施形態では、マルチモードデバイス１３５−ｃは、５０ｍｓ期間の各々に対して、異なってアクセスタイミングパラメータを変更し得る。たとえば、第１の５０ｍｓ期間の間、アクセスタイミングパラメータモジュール４１０−ａは、各１００ｍｓ期間のうちの第１の５０ｍｓの間、ＤＳＲＣスペクトルを使用するためにＤＳＲＣデバイスに増加した優先権を提供するように、ＤＳＲＣデバイスによって使用されるアクセスタイミングパラメータより長くなるように１つまたは複数のアクセスタイミングパラメータを変更し得る。第２の５０ｍｓ期間の間に、アクセスタイミングパラメータモジュール４１０−ａは、ＤＳＲＣデバイスによって使用されるパラメータと等しくなるように１つまたは複数のアクセスタイミングパラメータを変更し得る。そのような決定は、たとえば、いくつかの例に従って、ＤＳＲＣ送信の第１のアクティビティレベルを有する第１の時間期間を識別し、ＤＳＲＣアクティビティの第２のアクティビティレベルを有する第２の時間期間を識別し得る、アクティビティレベル決定モジュール５０５によって行われ得る。ここで、第２のアクティビティレベルは、第１のアクティビティレベルと異なる。第１および第２時間期間は、たとえば、以上で説明されるように各１００ｍｓの期間のうちの第１および第２の５０ｍｓに対応し得る。
【００４７】
[0058]図５がマルチモードデバイス１３５−ｃによって実行されるアクティビティレベル決定モジュール５０５およびアクセスタイミングパラメータモジュール４１０−ａ機能を説明する一方、そのような機能がマルチモードデバイス１３５ｃと分離したデバイス上で実行され得ることが理解される。たとえば、以下で説明することになるように、デバイス１３５−ｃは、アクセスポイント（ＡＰ）、バックエンドサーバ、基地局、等と通信し、これらのデバイスは、マルチモードデバイス１３５−ｃにアクティビティレベルおよび／またはアクセスタイミングパラメータ情報を提供し得る。たとえば、マルチモードデバイス１３５−ｃは、ＡＰからのアクセスタイミングパラメータを変更するコマンドを受信し得る。いくつかの例では、ＡＰは、管理フレームを通じてアクセスタイミングパラメータを変更するようにマルチモードデバイス１３５ｃに命令し得る。これらのパラメータに適用される変更は、たとえば、以上で説明されるのと同様に、ＤＳＲＣアクティビティのレベルに依存し得る。
【００４８】
[0059]図６は、マルチモードデバイス１３５によるＤＳＲＣスペクトルの使用を管理するために構成される通信システム６００のブロック図を示す。このシステム６００は、図１で描かれたシステム、および／または図１のアクセスポイントの態様の例であり得る。システム６００は、アクセスポイント１２５−ａを含み得る。アクセスポイント１２５−ａは、アンテナ６４５、トランシーバモジュール６５０、メモリ６８０、およびプロセッサモジュール６７０を含み、その各々は、互いに直接または間接的に通信し得る。トランシーバモジュール６５０は、マルチモードデバイス１３５と、アンテナ６４５を介して、双方向に通信するように構成され得る。マルチモードデバイス１３５−ｄは、図１、３、４、および／または５のデバイス１３５の例であり得る。トランシーバモジュール６５０（および／または、アクセスポイント１２５−ａの他の構成要素）はまた、１つまたは複数のネットワーク６３０と双方向に通信するように構成され得る。いくつかの場合では、アクセスポイント１２５−ａは、ネットワーク通信モジュール６７５を通じてコアネットワーク６３０と通信し得る。アクセスポイント１２５−ａは、たとえば、Ｗｉ−Ｆｉアクセスポイント、ｅノードＢ基地局、ホームｅノードＢ基地局、ノードＢ基地局、および／または、ホームノードＢ基地局の例であり得る。
【００４９】
[0060]アクセスポイント１２５−ａはまた、アクセスポイント１２５ｍおよびアクセスポイント１２５ｎのような、他のアクセスポイント１２５と通信し得る。アクセスポイント１２５の各々は、異なる無線アクセス技術のような、異なるワイヤレス通信技術を使用して、マルチモードデバイス１３５−ｄと通信し得る。いくつかの場合では、アクセスポイント１２５−ａは、アクセスポイント通信モジュール６６５を利用して１２５−ｍおよび／または１２５−ｎのような他のアクセスポイントと通信し得る。いくつかの実施形態では、アクセスポイント通信モジュール６６５は、アクセスポイント１２５のうちのいくつかの間の通信を提供するために、ワイヤレス通信技術内でインタフェースを提供し得る。いくつかの実施形態では、アクセスポイント１２５−ａは、コアネットワーク６３０を通じて他のアクセスポイントと通信し得る。
【００５０】
[0061]メモリ６８０は、ランダムアクセスメモリ（ＲＡＭ）および読取り専用メモリ（ＲＯＭ）を含み得る。メモリ６８０はまた、実行されるとプロセッサモジュール６７０に本明細書で説明される様々な機能（たとえば、ＤＳＲＣスペクトル管理）を実行させるように構成された命令を含んでいるコンピュータ可読、コンピュータ実行可能ソフトウェアコード６８５を記憶し得る。代替的に、ソフトウェアコード６８５は、プロセッサモジュール６７０によって直接的に実行可能でないことがあるが、たとえば、コンパイルされ実行されると、コンピュータに、本明細書で説明する機能を実行させるように構成され得る。
【００５１】
[0062]プロセッサモジュール６７０は、インテリジェントハードウェアデバイス、たとえば、中央処理ユニット（ＣＰＵ）、マイクロ制御器、特定用途向け集積回路（ＡＳＩＣ）などを含み得る。トランシーバモジュール６５０は、パケットを変調し、送信のためにアンテナ６４５に変調されたパケットを提供し、アンテナ６４５から受信したパケットを復調するように構成されたモデムを含み得る。
【００５２】
[0063]図６のアーキテクチャによれば、アクセスポイント１２５−ａはさらに、通信管理モジュール３２５を含み得る。通信管理モジュール６６０は、他のデバイス１２５との通信を管理し得る。例の目的で、通信管理モジュール６６０は、バスを介してアクセスポイント１２５−ａの他の構成要素の一部または全部と通信しているアクセスポイント１２５−ａの構成要素であり得る。代替的に、通信管理モジュール６６０の機能は、トランシーバモジュール６５０の構成要素として、コンピュータプログラム製品として、および／またはプロセッサモジュール６７０の１つまたは複数の制御器要素として実装され得る。
【００５３】
[0064]１つの例では、アクセスポイント１２５−ａは、ＤＳＲＣスペクトル管理モジュール３０５−ｃを含み得る。管理モジュール３０５−ｃは、アクセスタイミング適応モジュール６３５および命令モジュール６４０を含み得る。１つの実施形態では、アクセスポイント１２５−ａは、１つまたは複数のマルチモードデバイス１３５−ｄから情報を受信し、ＤＳＲＣ通信が利用可能であると決定し得る。アクセスタイミング適応モジュール６３５は、ＤＳＲＣスペクトルを使用するＤＳＲＣデバイスの送信に優先権を提供するために、以上で説明したのと同様の方式で１つまたは複数のアクセスパラメータを修正し得る。ＤＳＲＣスペクトルがアクセスタイミング適応モジュール６３５からの利用可能で適応されたアクセスタイミングパラメータであるという決定に基づいて、命令モジュール６４０は、１つまたは複数のデバイス１３５−ｄに送信される命令を生成し得る。命令は、デバイス１３５がＤＳＲＣスペクトル中で動作されるか否かを示し、さらにそのようなアクセスに使用されるために、アクセスタイミングパラメータ、または他のパラメータを示し得る。追加として、１つまたは複数のデバイス１３５−ｄが、ＤＳＲＣスペクトルを使用して動作している場合では、管理モジュール３０５−ｃは、ＤＳＲＣスペクトルがもはや使用されるべきでないと決定し、命令モジュール６４０は、そのような命令を生成し得る。
【００５４】
[0065]いくつかの実施形態では、アンテナ６４５と接続するトランシーバモジュール６５０は、アクセスポイント１２５−ａの他の可能な構成要素に加えて、１つまたは複数のマルチモードデバイス１３５−ｄへのＤＳＲＣ命令を送信し得る。以上で説明したように、命令は、デバイス１３５−ｄがＤＳＲＣスペクトル中で動作することを認めるかどうかを示し得る。ＤＳＲＣスペクトルの使用を認める決定は、いくつかの例では、ＤＳＲＣスペクトル内のＤＳＲＣ送信のアクティビティレベルに依存し得る。ＤＳＲＣ送信のアクティビティレベルは、たとえば、デバイス１３５−ｄ、または他のデバイスからのような、多数のメカニズムのうちの任意のものを通じて、別のアクセスポイント１２５−ｍまたは１２５ｎからの通信を通じて、またはネットワーク６３０を通じて決定され得る。ＤＳＲＣスペクトルの使用を認める決定は、いくつかの例では、マルチモードデバイス１３５−ｄのロケーションに依存し得る。デバイス１３５−ｄは、アクセスポイント１２５−ａにロケーション情報を送信し得る。アクセスポイント１２５−ａは、マルチモードデバイス１３５−ｄが、受信したロケーション情報に基づいてＤＳＲＣスペクトルを使用することを可能にするかどうか決定し得る。
【００５５】
[0066]図７は、マルチモードデバイス１３５−ｅとアクセスポイント１２５−ｂとの間の通信の１つの例を説明するメッセージフローチャート７００である。マルチモードデバイス１３５−ｅは、図１、図３、図４、および／または図５のデバイス１３５の例であり得る。アクセスポイント１２５−ｂは、図１および／または図６において説明されたアクセスポイント１２５の例であり得る。
【００５６】
[0067]１つの実施形態では、マルチモードデバイス１３５−ｅは、第１のチャネル７０５を使用して通信し得る。１つの構成では、第１のチャネルは、ＤＳＲＣスペクトルの外側であり得る。マルチモードデバイス１３５−ｅは、ＤＳＲＣスペクトルの少なくとも一部分を使用するかどうかを決定し得る。１つの構成では、マルチモードデバイス１３５−ｅは、ＤＳＲＣスペクトルの少なくとも一部分を使用して動作することが可能かどうかを決定する７１０。そのような決定は、以上で説明されるのと同様に、ＤＳＲＣスペクトルに関連した１つまたは複数の条件に従って行われ得る。例えば、マルチモードデバイス１３５−ｅは、ＤＳＲＣスペクトルの一部分を使用し得るかどうか決定するために、ＤＳＲＣスペクトルのアクティビティを分析し得る。いくつかの例では、決定７１０は、第１のチャネルを介してアクセスポイント１２５−ｂから受信した命令に基づいて行われ得る。マルチモードデバイス１３５−ｅは、アクセスポイントにＤＳＲＣチャネル使用を示し７１５、ＤＳＲＣスペクトルを使用するＤＳＲＣデバイスの送信に優先権を提供するように少なくとも１つのアクセスタイミングパラメータを適応させ得る７２０。デバイス１３５−ｅは、第２のチャネルを確立し得る。第２のチャネルは、ＤＳＲＣスペクトルの少なくとも一部分内であり得る。マルチモードデバイス１３５−ｅおよびアクセスポイント１２５−ｂは、ＤＳＲＣスペクトルを使用して通信に従事し得る７３０。
【００５７】
[0068]図８は、５ＧＨｚスペクトル８００中の様々なスペクトル割振りとマルチモードデバイス１３５によるＤＳＲＣスペクトルの使用との例示的な概観を示す。前に説明したように、スペクトル８００は、スペクトル８００に沿った周波数帯域の異なる割振りを含み得る。１つの構成では、各周波数帯域割振りは一定数の周波数チャネルを使用し得る。各チャネルは、ある量の帯域幅を占有し得る。図示のように、Ｕ−ＮＩＩ  １周波数帯域２０５は、最高４つの２０ＭＨｚチャネル２３０、２つの４０ＭＨｚチャネル２３５、または１つの８０ＭＨｚチャネル２４０をサポートし得る。同様に、Ｕ−ＮＩＩ  ２周波数帯域２１０は、最高４つの２０ＭＨｚチャネル２３０、２つの４０ＭＨｚチャネル２３５、または１つの８０ＭＨｚチャネル２４０をサポートし得る。前に述べたように、Ｕ−ＮＩＩ  １周波数帯域２０５とＵ−ＮＩＩ  ２周波数帯域２１０のいずれも、個々に１６０ＭＨｚチャネル８０５−ａ−１をサポートし得ない。しかしながら、マルチモードデバイス１３５は帯域２０５と帯域２１０の両方にわたって動作し得るので、デバイスは両方の周波数帯域にわたる１６０ＭＨｚチャネルを効果的に使用し得る。
【００５８】
[0069]さらに示されているように、Ｕ−ＮＩＩ  ＷＷ帯域２１５は、１６０ＭＨｚチャネル８０５−ａ−２をサポートし得る。１６０ＭＨｚチャネル８０５−ａ−３はまた、Ｕ−ＮＩＩ  ３周波数帯域２２０とＤＳＲＣ周波数帯域２２５とのための帯域にわたってサポートされ得る。１つの実施形態では、マルチモードデバイス１３５が少なくとも一部のＤＳＲＣスペクトル２２５を使用し得ると決定したとき、デバイスがＵ−ＮＩＩ  １帯域２０５とＵ−ＮＩＩ  ２帯域２１０とにわたる１６０ＭＨｚチャネル８０５−ａ−１、Ｕ−ＮＩＩ  ＷＷ帯域２１５中の１６０ＭＨｚチャネル８０５−ａ−２、ならびにＵ−ＮＩＩ  ３スペクトル２２０とＤＳＲＣスペクトル２２５とにわたる１６０ＭＨｚチャネル８０５−ａ−３上で動作し得るので、デバイス１３５の送信のための帯域幅は、増加させられ得る。マルチモードデバイス１３５の送信のための帯域幅のこの増加は、より高いスループットを可能にし得る増加したデータレートを可能にし得る。
【００５９】
[0070]図８は、ＤＳＲＣデバイスのＤＳＲＣ通信のための優先権を維持する間、ＤＳＲＣスペクトルの使用を管理するための方法９００の１つの実施形態を示すフローチャートである。明確のために、方法９００は、図１、図３、図４、図５、および／または図７のマルチモードデバイス１３５を参照して説明されたものである。１つの実装では、図３、図４、および／または図５のＤＳＲＣ管理モジュール３０５は、以下で説明される機能を実行するためにマルチモードデバイス１３５の機能要素を制御するコードの１つまたは複数のセットを実行し得る。
【００６０】
[0071]ブロック９０５で、ワイヤレスマルチモードデバイスは、ＤＳＲＣスペクトルの外側で動作される。ブロック９１０で、マルチモードデバイスは、ＤＳＲＣスペクトル内で動作すると決定し得る。決定は、ＤＳＲＣ送信内の送信のアクティビティレベル、マルチモードデバイスのロケーション、等に基づく。ブロック９１５で、マルチモードデバイスは、ＤＳＲＣスペクトル内で動作する少なくとも１つのアクセスタイミングパラメータを適応させ得る。１つの構成では、少なくとも１つのアクセスタイミングパラメータは、ＤＳＲＣスペクトルを使用するＤＳＲＣデバイスの送信に優先権を提供するように適応され得る。例えば、アクセスタイミングパラメータを適応させることは、ＤＳＲＣデバイスによって使用されるＳＩＦＳの期間と少なくとも等しくなるようにＳＩＦＳの期間を増加させることを含み得る。他の例では、アクセスを適応させることは、ＤＳＲＣデバイスのアクセスタイミングに使用されるスロット時間に少なくとも等しくなるように、アクセスタイミングのために使用されるスロット時間を増加させることを含み得る。そのような増加したスロット時間は、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用され得る。追加または代替として、アクセスタイミングパラメータを適応させることは、マルチモードデバイスによって使用されるバックオフタイマを適応させることを含み得る。
【００６１】
[0072]したがって、方法９００はまた、ＤＳＲＣスペクトルを使用するＤＳＲＣデバイスの送信に優先権を提供する間のＤＳＲＣスペクトルの使用を提供し得る。方法９００は１つの実装形態にすぎないこと、および方法９００の動作は、他の実装形態が可能であるように、並べ替えられるかまたはいくつかの場合では修正され得ることに留意されたい。
【００６２】
[0073]図１０は、ＤＳＲＣスペクトルを使用するＤＳＲＣデバイスの送信に対する優先権を維持する間、ＤＳＲＣスペクトルの使用を管理する方法１０００の１つの実施形態を説明するフローチャートである。明確のために、方法１０００は、図１、図３、図４、図５、および／または図７を参照しながら説明したマルチモードデバイス１３５に関連して説明される。１つの実装では、図３、図４、および／または図５のＤＳＲＣ管理モジュール３０５は、以下で説明される機能を実行するためにマルチモードデバイス１３５の機能要素を制御するためのコードの１つまたは複数のセットを実行し得る。
【００６３】
[0074]ブロック１００５において、マルチモードデバイス１３５は、ＤＳＲＣスペクトルの外側で動作する。ブロック１０１０において、ＤＳＲＣスペクトル内のＤＳＲＣ送信のアクティビティレベルが決定される。ＤＳＲＣ送信のアクティビティレベルは、たとえば、ＤＳＲＣスペクトルにおけるトラフィックのモニタリングを通じて、またはアクセスポイントのような他のいくつかのエンティティを通じて、決定され得る。ブロック１０１５において、決定は、アクティビティレベルが事前設定されたしきい値を満たすかどうかに関して行われ得る。１つの実施形態では、事前設定されたしきい値は、ＤＳＲＣ送信のための送信時間に対してほとんどまたは全く影響を与えない、マルチモードデバイス１３５の追加のトラフィックを安全に提供するために利用可能なリソースの量であり得る。アクティビティレベルが事前設定されたしきい値を満たすと決定された場合、ブロック１０２０において、デバイス１３５は、ＤＳＲＣ送信の決定されたアクティビティレベルに少なくとも部分的に基づいて少なくとも１つのアクセスタイミングパラメータを適応させ得る。ブロック１０２５において、デバイス１３５は、適応されたタイミングパラメータに従ってＤＳＲＣスペクトルにアクセスし得る。しかしながら、アクティビティレベルが事前設定されたしきい値を満たさないと決定された場合、ブロック１０３０で示されるように、マルチモードデバイス１３５は、ＤＳＲＣスペクトルの外側で動作し続け得る。
【００６４】
[0075]従って、方法１０００は、ＤＳＲＣデバイスのＤＳＲＣ通信のアクティビティに基づいてＤＳＲＣスペクトル内で動作するかどうか決定することを提供し得る。方法１０００は、一実装形態にすぎないこと、および方法１０００の動作は、他の実装形態が可能であるように、並べ替えられるかまたはいくつかの場合では変更され得ることに留意されたい。
【００６５】
[0076]図１１は、位置情報に基づいてＤＳＲＣスペクトルの使用を管理するための方法１１００の別の実施形態を説明するフローチャートである。明確にするため、方法１１００について、図１、図３、図４、図５、および／または図７を参照して説明したマルチモードデバイス１３５に関連して説明される。１つの実装では、図３、図４、および／または図５のＤＳＲＣ管理モジュール３０５は、以下で説明される機能を実行するためにマルチモードデバイス１３５の機能要素を制御するためのコードの１つまたは複数のセットを実行し得る。
【００６６】
[0077]ブロック１１０５において、マルチモードデバイス１３５は、ＤＳＲＣスペクトルの外側で動作する。ブロック１１１０において、ＤＳＲＣスペクトル内のＤＳＲＣ送信のアクティビティレベルが決定される。ＤＳＲＣ送信のアクティビティレベルは、たとえば、ＤＳＲＣスペクトルにおけるトラフィックのモニタリングを通じて、またはアクセスポイントのような他のいくつかのエンティティからの情報の受信を通じて、決定され得る。ブロック１１１５において、決定は、アクティビティレベルが事前設定されたしきい値を満たすかどうかに関して行われ得る。１つの実施形態では、事前設定されたしきい値は、ＤＳＲＣ送信のための送信時間に対してほとんどまたは全く影響しない、マルチモードデバイス１３５の追加のトラフィックを安全に提供するために利用可能なリソースの量であり得る。アクティビティレベルが事前設定されたしきい値を満たすと決定された場合、ブロック１１２０において、デバイス１３５は、ＤＳＲＣ送信の第１のアクティビティレベルを有する第１の時間期間を識別し、第１時間期間の間の第１の適応に従って少なくとも１つのアクセスタイミングパラメータを適応させ得る。
【００６７】
[0078]以上で言及されるように、単一チャネル無線を受け入れる（同時ではなく、単一の１０ＭＨｚチャネル上でのみ受信または送信する）ために、ＤＳＲＣ基準は、ＦＤＭＡ／ＴＤＭＡチャネルアクセスメカニズムを許容する。このメカニズムに従って、時間は、反復的な１００ｍｓ期間に分割される。第１の５０ｍｓは、制御チャネル（ＣＣＨ）に割り当てられ、第２の５０ｍｓは、共有チャネル（ＳＣＨ）に割り当てられ得る。ＤＳＲＣ通信の多くの安全性タイプメッセージが第１の５０ｍｓ期間の間のＣＣＨ上で送信され得る。結果として、多くの重要なＤＳＲＣアクティビティは、各１００ｍｓ期間のうちの第１の５０ｍｓの間に生じ得る。図１１の例では、マルチモードデバイス１３５は、５０ｍｓ期間の各々の間のために異なってアクセスタイミングパラメータを変更し得る。たとえば、第１の時間期間の間、１つまたは複数のアクセスタイミングパラメータは、第１の時間期間の間のＤＳＲＣスペクトルを使用するためにＤＳＲＣデバイスに増加した優先権を提供するように、ＤＳＲＣデバイスによって使用されるアクセスタイミングパラメータより長くなるように適応され得る。
【００６８】
[0079]図１１への継続的な言及と共に、方法は、ブロック１１２５において、ＤＳＲＣ送信の第２のアクティビティレベルを有する第２の時間期間を識別し、第２の時間期間の間の第２の適応に従って少なくとも１つのアクセスタイミングパラメータを適応させる。単一チャネル無線例に継続的に関連して、第２の５０ｍｓ期間の間、マルチモードデバイス１３５は、ＤＳＲＣデバイスによって使用されるパラメータと等しくなるように１つまたは複数のアクセスタイミングパラメータを変更し得る。ブロック１１３０において、マルチモードデバイスは、適応されたタイミングパラメータに従ってＤＳＲＣスペクトルにアクセスし得る。しかしながら、アクティビティレベルが決定１１１５において事前設定されたしきい値を満たさないと決定された場合、ブロック１１３５で示されるように、マルチモードデバイス１３５は、ＤＳＲＣスペクトルの外側で動作し続け得る。
【００６９】
[0080]したがって、方法１１００は、異なる時間期間の間、ＤＳＲＣデバイスのＤＳＲＣ通信のアクティビティに基づいてＤＳＲＣスペクトル内で動作するかどうか決定することを提供し得る。方法１１００は一実装形態にすぎないこと、および方法１１００の動作は、他の実装形態が可能であるように、並べ替えられるかまたはいくつかの場合では変更され得ることに留意されたい。
【００７０】
[0081]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【００７１】
[0082]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサルテレストリアルラジオアクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形形態を含む。ＴＤＭＡシステムは、グローバルシステムフォーモバイルコミュニケーション（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００７２】
[0083]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７３】
[0084]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実行され得る。汎用プロセッサはマイクロプロセッサであり得るが、代替として、プロセッサは任意の従来のプロセッサ、制御器、マイクロ制御器、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００７４】
[0085]本明細書で説明する機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００７５】
[0086]コンピュータ可読媒体は、ある場所から別の場所へのコンピュータプログラムの転送を容易にする任意の媒体を含む、コンピュータ記憶媒体と通信媒体との両方を含む。記憶媒体は、汎用または専用コンピュータによってアクセスされることができる任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれる。
【００７６】
[0087]本開示についての以上の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2016524882.tif 000003
【図２】
2016524882.tif 000004
【図３】
2016524882.tif 000005
【図４】
2016524882.tif 000006
【図５】
2016524882.tif 000007
【図６】
2016524882.tif 000008
【図７】
2016524882.tif 000009
【図８】
2016524882.tif 000010
【図９】
2016524882.tif 000011
【図１０】
2016524882.tif 000012
【図１１】
2016524882.tif 000013
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
専用狭域通信（ＤＳＲＣ）スペクトルを使用するときのアクセスタイミングパラメータを適応させる方法であって、
前記ＤＳＲＣスペクトル内で動作するために前記ＤＳＲＣスペクトルの外側で動作しているマルチモードデバイスの少なくとも１つのアクセスタイミングパラメータを適応させることを備え、前記少なくとも１つのアクセスタイミングパラメータは、前記ＤＳＲＣスペクトルを使用するＤＳＲＣデバイスの送信に優先権を提供するように適応される、
方法。
【請求項２】
前記マルチモードデバイスの少なくとも１つのアクセスタイミングパラメータを適応させることは、
ＤＳＲＣデバイスによって使用されるショートインターフレームスペーシング（ＳＩＦＳ）の期間と少なくとも等しくなるようにＳＩＦＳの期間を増加させることを備える、
請求項１に記載の方法。
【請求項３】
前記マルチモードデバイスの少なくとも１つのアクセスタイミングパラメータを適応させることは、
ＤＳＲＣデバイスのアクセスタイミングのために使用されるスロット時間に少なくとも等しくなるようにアクセスタイミングのために使用されるスロット時間を増加させることを備え、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項１に記載の方法。
【請求項４】
前記マルチモードデバイスの少なくとも１つのアクセスタイミングパラメータを適応させることは、
前記マルチモードデバイスによって使用されるバックオフタイマを適応させることを備える、
請求項１に記載の方法。
【請求項５】
前記ＤＳＲＣスペクトル内のＤＳＲＣ送信のアクティビティレベルを決定することと、
ＤＳＲＣ送信の前記決定されたアクティビティレベルに少なくとも部分的に基づいて非ＤＳＲＣ送信のために前記ＤＳＲＣスペクトルを使用するかどうかを決定することと
をさらに備える、請求項１に記載の方法。
【請求項６】
前記ＤＳＲＣスペクトルを使用すると決定すると、前記マルチモードデバイスの前記少なくとも１つのアクセスタイミングパラメータを適応させることをさらに備え、前記適応させることは、ＤＳＲＣ送信の前記決定されたアクティビティレベルに少なくとも部分的に基づく、
請求項５に記載の方法。
【請求項７】
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
をさらに備える、請求項５に記載の方法。
【請求項８】
前記ＤＳＲＣスペクトル内のアクティビティレベルを送信することをさらに備える、
請求項１に記載の方法。
【請求項９】
前記マルチモードデバイスの前記少なくとも１つのアクセスタイミングパラメータに適用する前記適応を示すアクセスポイント（ＡＰ）から命令を受信することをさらに備え、前記命令は、前記ＤＳＲＣスペクトル内のアクティビティレベルに少なくとも部分的に基づく、
請求項１に記載の方法。
【請求項１０】
前記ＤＳＲＣスペクトルの外側で動作するために、前記ＤＳＲＣスペクトル内で動作している前記マルチモードデバイスの前記少なくとも１つのアクセスタイミングパラメータを適応させることをさらに備える、
請求項１に記載の方法。
【請求項１１】
専用狭域通信（ＤＳＲＣ）スペクトルを使用するときのアクセスタイミングパラメータを適応させるための装置であって、
前記ＤＳＲＣスペクトル内で動作するために前記ＤＳＲＣスペクトルの外側で動作しているマルチモードデバイスの少なくとも１つのアクセスタイミングパラメータを適応させるための手段を備え、前記少なくとも１つのアクセスタイミングパラメータは、前記ＤＳＲＣスペクトルを使用するＤＳＲＣデバイスの送信に優先権を提供するように適応される、
装置。
【請求項１２】
前記マルチモードデバイスの少なくとも１つのアクセスタイミングパラメータを適応させるための前記手段は、
ＤＳＲＣデバイスによって使用されるショートインターフレームスペーシング（ＳＩＦＳ）の期間と少なくとも等しくなるようにＳＩＦＳの期間を増加させるための手段を備える、
請求項１１に記載の装置。
【請求項１３】
前記マルチモードデバイスの少なくとも１つのアクセスタイミングパラメータを適応させるための前記手段は、
ＤＳＲＣデバイスのアクセスタイミングのために使用されるスロット時間に少なくとも等しくなるようにアクセスタイミングのために使用されるスロット時間を増加させるための手段を備え、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項１１に記載の装置。
【請求項１４】
前記マルチモードデバイスの少なくとも１つのアクセスタイミングパラメータを適応させるための前記手段は、
前記マルチモードデバイスによって使用されるバックオフタイマを適応させるための手段を備える、
請求項１１に記載の装置。
【請求項１５】
前記ＤＳＲＣスペクトル内のＤＳＲＣ送信のアクティビティレベルを決定する手段と、
ＤＳＲＣ送信の前記決定されたアクティビティレベルに少なくとも部分的に基づいて非ＤＳＲＣ送信のために前記ＤＳＲＣスペクトルを使用するかどうかを決定するための手段と
をさらに備える、請求項１１に記載の装置。
【請求項１６】
前記マルチモードデバイスの前記少なくとも１つのアクセスタイミングパラメータを適応させるための手段をさらに備え、前記適応は、ＤＳＲＣ送信の前記決定されたアクティビティレベルに少なくとも部分的に基づく、
請求項１５に記載の装置。
【請求項１７】
ＤＳＲＣ送信の第１のアクティビティレベルを備える第１の時間期間を識別するための手段と、
ＤＳＲＣアクティビティの第２のアクティビティレベルを備える第２の時間期間を識別するための手段、前記第２のアクティビティレベルは、前記第１のアクティビティレベルと異なる、と、
前記第１の時間期間の間の第１の適応に従って前記少なくとも１つのアクセスタイミングパラメータを適応させるための手段と、
前記第２の時間期間の間の第２の適応に従って前記少なくとも１つのアクセスタイミングパラメータを適応させるための手段、前記第２の適応は、前記第１の適応と異なる、と
をさらに備える、請求項１５に記載の装置。
【請求項１８】
前記ＤＳＲＣスペクトル内のアクティビティレベルを送信するための手段をさらに備える、
請求項１１に記載の装置。
【請求項１９】
前記マルチモードデバイスの前記少なくとも１つのアクセスタイミングパラメータに適用する前記適応を示すアクセスポイント（ＡＰ）から命令を受信するための手段をさらに備え、前記命令は、前記ＤＳＲＣスペクトル内のアクティビティレベルに少なくとも部分的に基づく、
請求項１１に記載の装置。
【請求項２０】
前記ＤＳＲＣスペクトルの外側で動作するために、前記ＤＳＲＣスペクトル内で動作している前記マルチモードデバイスの前記少なくとも１つのアクセスタイミングパラメータを適応させるための手段をさらに備える、
請求項１１に記載の装置。
【請求項２１】
専用狭域通信（ＤＳＲＣ）スペクトルを使用するときのアクセスタイミングパラメータを適応させるように構成されたマルチモードデバイスであって、
プロセッサと、
前記プロセッサと電子通信するメモリと、
前記メモリに記憶されている命令と
を備え、前記命令は、
前記ＤＳＲＣスペクトル内で動作するために前記ＤＳＲＣスペクトルの外側で動作しているマルチモードデバイスの少なくとも１つのアクセスタイミングパラメータを適応させることを前記プロセッサによって実行可能であり、前記少なくとも１つのアクセスタイミングパラメータは、前記ＤＳＲＣスペクトルを使用するＤＳＲＣデバイスの送信に優先権を提供するように適応される、
マルチモードデバイス。
【請求項２２】
前記マルチモードデバイスの少なくとも１つのアクセスタイミングパラメータを適応させる前記命令は、
ＤＳＲＣデバイスによって使用されるショートインターフレームスペーシング（ＳＩＦＳ）の期間と少なくとも等しくなるようにＳＩＦＳの期間を増加させることを前記プロセッサによって実行可能である、
請求項２１に記載のマルチモードデバイス。
【請求項２３】
前記マルチモードデバイスの少なくとも１つのアクセスタイミングパラメータを適応させる前記命令は、
ＤＳＲＣデバイスのアクセスタイミングのために使用されるスロット時間に少なくとも等しくなるようにアクセスタイミングのために使用されるスロット時間を増加させることを前記プロセッサによって実行可能であり、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項２１に記載のマルチモードデバイス。
【請求項２４】
前記マルチモードデバイスの少なくとも１つのアクセスタイミングパラメータを適応させる前記命令は、
前記マルチモードデバイスによって使用されるバックオフタイマを適応させることを前記プロセッサによって実行可能である、
請求項２１に記載のマルチモードデバイス。
【請求項２５】
前記命令は、
前記ＤＳＲＣスペクトル内のＤＳＲＣ送信のアクティビティレベルを決定することと、
ＤＳＲＣ送信の前記決定されたアクティビティレベルに少なくとも部分的に基づいて非ＤＳＲＣ送信のために前記ＤＳＲＣスペクトルを使用するかどうかを決定することと
を前記プロセッサによってさらに実行可能である、請求項２１に記載のマルチモードデバイス。
【請求項２６】
前記命令は、
前記マルチモードデバイスの前記少なくとも１つのアクセスタイミングパラメータを適応させることを前記プロセッサによってさらに実行可能であり、前記適応させることは、ＤＳＲＣ送信の前記決定されたアクティビティレベルに少なくとも部分的に基づく、
請求項２５に記載のマルチモードデバイス。
【請求項２７】
前記命令は、
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、
請求項２５に記載のマルチモードデバイス。
【請求項２８】
前記命令は、
前記ＤＳＲＣスペクトル内のアクティビティレベルを送信することを前記プロセッサによってさらに実行可能である、
請求項２１に記載のマルチモードデバイス。
【請求項２９】
前記命令は、
前記マルチモードデバイスの前記少なくとも１つのアクセスタイミングパラメータに適用する前記適応を示すアクセスポイント（ＡＰ）から命令を受信することを前記プロセッサによってさらに実行可能であり、前記命令は、前記ＤＳＲＣスペクトル内のアクティビティレベルに少なくとも部分的に基づく、
請求項２１に記載のマルチモードデバイス。
【請求項３０】
前記命令は、
前記ＤＳＲＣスペクトルの外側で動作するために、前記ＤＳＲＣスペクトル内で動作している前記マルチモードデバイスの前記少なくとも１つのアクセスタイミングパラメータを適応させることを前記プロセッサによってさらに実行可能である、
請求項２１に記載のマルチモードデバイス。
【請求項３１】
専用狭域通信（ＤＳＲＣ）スペクトルを使用するときのアクセスタイミングパラメータを適応させるコンピュータプログラム製品であって、
前記ＤＳＲＣスペクトル内で動作するために前記ＤＳＲＣスペクトルの外側で動作しているマルチモードデバイスの少なくとも１つのアクセスタイミングパラメータを適応させることをプロセッサによって実行可能である命令を記憶する非一時的コンピュータ可読媒体を備え、前記少なくとも１つのアクセスタイミングパラメータは、前記ＤＳＲＣスペクトルを使用するＤＳＲＣデバイスの送信に優先権を提供するように適応される、
コンピュータプログラム製品。
【請求項３２】
前記マルチモードデバイスの少なくとも１つのアクセスタイミングパラメータを適応させる前記命令は、
ＤＳＲＣデバイスによって使用されるショートインターフレームスペーシング（ＳＩＦＳ）の期間と少なくとも等しくなるようにＳＩＦＳの期間を増加させることを前記プロセッサによって実行可能である、
請求項３１に記載のコンピュータプログラム製品。
【請求項３３】
前記マルチモードデバイスの少なくとも１つのアクセスタイミングパラメータを適応させる前記命令は、
ＤＳＲＣデバイスのアクセスタイミングのために使用されるスロット時間に少なくとも等しくなるようにアクセスタイミングのために使用されるスロット時間を増加させることを前記プロセッサによって実行可能であり、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
請求項３１に記載のコンピュータプログラム製品。
【請求項３４】
前記マルチモードデバイスの少なくとも１つのアクセスタイミングパラメータを適応させる前記命令は、
前記マルチモードデバイスによって使用されるバックオフタイマを適応させることを前記プロセッサによって実行可能である、
請求項３１に記載のコンピュータプログラム製品。
【請求項３５】
前記命令は、
前記ＤＳＲＣスペクトル内のＤＳＲＣ送信のアクティビティレベルを決定することと、
ＤＳＲＣ送信の前記決定されたアクティビティレベルに少なくとも部分的に基づいて非ＤＳＲＣ送信のために前記ＤＳＲＣスペクトルを使用するかどうかを決定することと
を前記プロセッサによってさらに実行可能である、請求項３１に記載のコンピュータプログラム製品。
【請求項３６】
前記命令は、
前記マルチモードデバイスの前記少なくとも１つのアクセスタイミングパラメータを適応させることを前記プロセッサによってさらに実行可能であり、前記適応させることは、ＤＳＲＣ送信の前記決定されたアクティビティレベルに少なくとも部分的に基づく、
請求項３５に記載のコンピュータプログラム製品。
【請求項３７】
前記命令は、
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、請求項３５に記載のコンピュータプログラム製品。
【請求項３８】
前記命令は、
前記ＤＳＲＣスペクトル内のアクティビティレベルを送信することを前記プロセッサによってさらに実行可能である、
請求項３１に記載のコンピュータプログラム製品。
【請求項３９】
前記命令は、
前記マルチモードデバイスの前記少なくとも１つのアクセスタイミングパラメータに適用する前記適応を示すアクセスポイント（ＡＰ）から命令を受信することを前記プロセッサによってさらに実行可能であり、前記命令は、前記ＤＳＲＣスペクトル内のアクティビティレベルに少なくとも部分的に基づく、
請求項３１に記載のコンピュータプログラム製品。
【請求項４０】
前記命令は、
前記ＤＳＲＣスペクトルの外側で動作するために、前記ＤＳＲＣスペクトル内で動作している前記マルチモードデバイスの前記少なくとも１つのアクセスタイミングパラメータを適応させることを前記プロセッサによってさらに実行可能である、
請求項３１に記載のコンピュータプログラム製品。
【手続補正２】
【補正対象書類名】明細書
【補正対象項目名】００７６
【補正方法】変更
【補正の内容】
【００７６】
[0087]本開示についての以上の説明は、当業者が本開示を作成または使用することができるように与えられる。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
専用狭域通信（ＤＳＲＣ）スペクトルを使用するときのアクセスタイミングパラメータを適応させる方法であって、
前記ＤＳＲＣスペクトル内で動作するために前記ＤＳＲＣスペクトルの外側で動作しているマルチモードデバイスの少なくとも１つのアクセスタイミングパラメータを適応させることを備え、前記少なくとも１つのアクセスタイミングパラメータは、前記ＤＳＲＣスペクトルを使用するＤＳＲＣデバイスの送信に優先権を提供するように適応される、
方法。
［Ｃ２］
前記マルチモードデバイスの少なくとも１つのアクセスタイミングパラメータを適応させることは、
ＤＳＲＣデバイスによって使用されるショートインターフレームスペーシング（ＳＩＦＳ）の期間と少なくとも等しくなるようにＳＩＦＳの期間を増加させることを備える、
［Ｃ１］に記載の方法。
［Ｃ３］
前記マルチモードデバイスの少なくとも１つのアクセスタイミングパラメータを適応させることは、
ＤＳＲＣデバイスのアクセスタイミングのために使用されるスロット時間に少なくとも等しくなるようにアクセスタイミングのために使用されるスロット時間を増加させることを備え、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
［Ｃ１］に記載の方法。
［Ｃ４］
前記マルチモードデバイスの少なくとも１つのアクセスタイミングパラメータを適応させることは、
前記マルチモードデバイスによって使用されるバックオフタイマを適応させることを備える、
［Ｃ１］に記載の方法。
［Ｃ５］
前記ＤＳＲＣスペクトル内のＤＳＲＣ送信のアクティビティレベルを決定することと、
ＤＳＲＣ送信の前記決定されたアクティビティに少なくとも部分的に基づいて非ＤＳＲＣ送信のために前記ＤＳＲＣスペクトルを使用するかどうかを決定することと
をさらに備える、［Ｃ１］に記載の方法。
［Ｃ６］
前記ＤＳＲＣスペクトルを使用すると決定すると、前記マルチモードデバイスの前記少なくとも１つのアクセスタイミングパラメータを適応させることをさらに備え、前記適応させることは、ＤＳＲＣ送信の前記決定されたアクティビティレベルに少なくとも部分的に基づく、
［Ｃ５］に記載の方法。
［Ｃ７］
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
をさらに備える、［Ｃ５］に記載の方法。
［Ｃ８］
前記ＤＳＲＣスペクトル内のアクティビティレベルを送信することをさらに備える、
［Ｃ１］に記載の方法。
［Ｃ９］
前記マルチモードデバイスの前記少なくとも１つのアクセスタイミングパラメータに適用する前記適応を示すアクセスポイント（ＡＰ）から命令を受信することをさらに備え、前記命令は、前記ＤＳＲＣ内のアクティビティレベルに少なくとも部分的に基づく、
［Ｃ１］に記載の方法。
［Ｃ１０］
前記ＤＳＲＣスペクトルの外側で動作するために、前記ＤＳＲＣスペクトル内で動作している前記マルチモードデバイスの前記少なくとも１つのアクセスタイミングパラメータを適応させることをさらに備える、
［Ｃ１］に記載の方法。
［Ｃ１１］
専用狭域通信（ＤＳＲＣ）スペクトルを使用するときのアクセスタイミングパラメータを適応させるための装置であって、
前記ＤＳＲＣスペクトル内で動作するために前記ＤＳＲＣスペクトルの外側で動作しているマルチモードデバイスの少なくとも１つのアクセスタイミングパラメータを適応させるための手段を備え、前記少なくとも１つのアクセスタイミングパラメータは、前記ＤＳＲＣスペクトルを使用するＤＳＲＣデバイスの送信に優先権を提供するように適応される、
装置。
［Ｃ１２］
前記マルチモードデバイスの少なくとも１つのアクセスタイミングパラメータを適応させるための前記手段は、
ＤＳＲＣデバイスによって使用されるショートインターフレームスペーシング（ＳＩＦＳ）の期間と少なくとも等しくなるようにＳＩＦＳの期間を増加させるための手段を備える、
［Ｃ１１］に記載の装置。
［Ｃ１３］
前記マルチモードデバイスの少なくとも１つのアクセスタイミングパラメータを適応させるための前記手段は、
ＤＳＲＣデバイスのアクセスタイミングのために使用されるスロット時間に少なくとも等しくなるようにアクセスタイミングのために使用されるスロット時間を増加させるための手段を備え、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
［Ｃ１１］に記載の装置。
［Ｃ１４］
前記マルチモードデバイスの少なくとも１つのアクセスタイミングパラメータを適応させるための前記手段は、
前記マルチモードデバイスによって使用されるバックオフタイマを適応させるための手段を備える、
［Ｃ１１］に記載の装置。
［Ｃ１５］
前記ＤＳＲＣスペクトル内のＤＳＲＣ送信のアクティビティレベルを決定する手段と、
ＤＳＲＣ送信の前記決定されたアクティビティに少なくとも部分的に基づいて非ＤＳＲＣ送信のために前記ＤＳＲＣスペクトルを使用するかどうかを決定するための手段と
をさらに備える、［Ｃ１１］に記載の装置。
［Ｃ１６］
前記マルチモードデバイスの前記少なくとも１つのアクセスタイミングパラメータを適応させるための手段をさらに備え、前記適応は、ＤＳＲＣ送信の前記決定されたアクティビティレベルに少なくとも部分的に基づく、
［Ｃ１５］に記載の装置。
［Ｃ１７］
ＤＳＲＣ送信の第１のアクティビティレベルを備える第１の時間期間を識別するための手段と、
ＤＳＲＣアクティビティの第２のアクティビティレベルを備える第２の時間期間を識別するための手段、前記第２のアクティビティレベルは、前記第１のアクティビティレベルと異なる、と、
前記第１の時間期間の間の第１の適応に従って前記少なくとも１つのアクセスタイミングパラメータを適応させるための手段と、
前記第２の時間期間の間の第２の適応に従って前記少なくとも１つのアクセスタイミングパラメータを適応させるための手段、前記第２の適応は、前記第１の適応と異なる、と
をさらに備える、［Ｃ１５］に記載の装置。
［Ｃ１８］
前記ＤＳＲＣスペクトル内のアクティビティレベルを送信するための手段をさらに備える、
［Ｃ１１］に記載の装置。
［Ｃ１９］
前記マルチモードデバイスの前記少なくとも１つのアクセスタイミングパラメータに適用する前記適応を示すアクセスポイント（ＡＰ）から命令を受信するための手段をさらに備え、前記命令は、前記ＤＳＲＣ内のアクティビティレベルに少なくとも部分的に基づく、
［Ｃ１１］に記載の装置。
［Ｃ２０］
前記ＤＳＲＣスペクトルの外側で動作するために、前記ＤＳＲＣスペクトル内で動作している前記マルチモードデバイスの前記少なくとも１つのアクセスタイミングパラメータを適応させるための手段をさらに備える、
［Ｃ１１］に記載の装置。
［Ｃ２１］
専用狭域通信（ＤＳＲＣ）スペクトルを使用するときのアクセスタイミングパラメータを適応させるように構成されたマルチモードデバイスであって、
プロセッサと、
前記プロセッサと電子通信するメモリと、
前記メモリに記憶されている命令と
を備え、前記命令は、
前記ＤＳＲＣスペクトル内で動作するために前記ＤＳＲＣスペクトルの外側で動作しているマルチモードデバイスの少なくとも１つのアクセスタイミングパラメータを適応させることを前記プロセッサによって実行可能であり、前記少なくとも１つのアクセスタイミングパラメータは、前記ＤＳＲＣスペクトルを使用するＤＳＲＣデバイスの送信に優先権を提供するように適応される、
マルチモードデバイス。
［Ｃ２２］
前記マルチモードデバイスの少なくとも１つのアクセスタイミングパラメータを適応させる前記命令は、
ＤＳＲＣデバイスによって使用されるショートインターフレームスペーシング（ＳＩＦＳ）の期間と少なくとも等しくなるようにＳＩＦＳの期間を増加させることを前記プロセッサによって実行可能である、
［Ｃ２１］に記載のマルチモードデバイス。
［Ｃ２３］
前記マルチモードデバイスの少なくとも１つのアクセスタイミングパラメータを適応させる前記命令は、
ＤＳＲＣデバイスのアクセスタイミングのために使用されるスロット時間に少なくとも等しくなるようにアクセスタイミングのために使用されるスロット時間を増加させることを前記プロセッサによって実行可能であり、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
［Ｃ２１］に記載のマルチモードデバイス。
［Ｃ２４］
前記マルチモードデバイスの少なくとも１つのアクセスタイミングパラメータを適応させる前記命令は、
前記マルチモードデバイスによって使用されるバックオフタイマを適応させることを前記プロセッサによって実行可能である、
［Ｃ２１］に記載のマルチモードデバイス。
［Ｃ２５］
前記命令は、
前記ＤＳＲＣスペクトル内のＤＳＲＣ送信のアクティビティレベルを決定することと
ＤＳＲＣ送信の前記決定されたアクティビティに少なくとも部分的に基づいて非ＤＳＲＣ送信のために前記ＤＳＲＣスペクトルを使用するかどうかを決定することと
を前記プロセッサによって実行可能である、［Ｃ２１］に記載のマルチモードデバイス。
［Ｃ２６］
前記命令は、
前記マルチモードデバイスの前記少なくとも１つのアクセスタイミングパラメータを適応させることを前記プロセッサによって実行可能であり、前記適応させることは、ＤＳＲＣ送信の前記決定されたアクティビティレベルに少なくとも部分的に基づく、
［Ｃ２５］に記載のマルチモードデバイス。
［Ｃ２７］
前記命令は、
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、
［Ｃ２５］に記載のマルチモードデバイス。
［Ｃ２８］
前記命令は、
前記ＤＳＲＣスペクトル内のアクティビティレベルを送信することを前記プロセッサによってさらに実行可能である、
［Ｃ２１］に記載のマルチモードデバイス。
［Ｃ２９］
前記命令は、
前記マルチモードデバイスの前記少なくとも１つのアクセスタイミングパラメータに適用する前記適応を示すアクセスポイント（ＡＰ）から命令を受信することを前記プロセッサによってさらに実行可能であり、前記命令は、前記ＤＳＲＣ内のアクティビティレベルに少なくとも部分的に基づく、
［Ｃ２１］に記載のマルチモードデバイス。
［Ｃ３０］
前記命令は、
前記ＤＳＲＣスペクトルの外側で動作するために、前記ＤＳＲＣスペクトル内で動作している前記マルチモードデバイスの前記少なくとも１つのアクセスタイミングパラメータを適応させることを前記プロセッサによって実行可能である、
［Ｃ２１］に記載のマルチモードデバイス。
［Ｃ３１］
専用狭域通信（ＤＳＲＣ）スペクトルを使用するときのアクセスタイミングパラメータを適応させるコンピュータプログラム製品であって、
前記ＤＳＲＣスペクトル内で動作するために前記ＤＳＲＣスペクトルの外側で動作しているマルチモードデバイスの少なくとも１つのアクセスタイミングパラメータを適応させることをプロセッサによって実行可能である命令を記憶する非一時的コンピュータ可読媒体を備え、前記少なくとも１つのアクセスタイミングパラメータは、前記ＤＳＲＣスペクトルを使用するＤＳＲＣデバイスの送信に優先権を提供するように適応される、
コンピュータプログラム製品。
［Ｃ３２］
前記マルチモードデバイスの少なくとも１つのアクセスタイミングパラメータを適応させる前記命令は、
前記マルチモードデバイスの少なくとも１つのアクセスタイミングパラメータを適応させることを前記プロセッサによって実行可能である、
［Ｃ３１］に記載のコンピュータプログラム製品。
［Ｃ３３］
前記マルチモードデバイスの少なくとも１つのアクセスタイミングパラメータを適応させる前記命令は、
ＤＳＲＣデバイスのアクセスタイミングのために使用されるスロット時間に少なくとも等しくなるようにアクセスタイミングのために使用されるスロット時間を増加させることを前記プロセッサによって実行可能であり、前記スロット時間を増加させることは、分散協調機能（ＤＣＦ）インターフレームスペーシング（ＤＩＦＳ）の増加した期間、拡張インターフレームスペーシング（ＥＩＦＳ）の増加した期間、およびアービトレーションインターフレームスペーシング（ＡＩＦＳ）の増加した期間を計算するために使用される、
［Ｃ３１］に記載のコンピュータプログラム製品。
［Ｃ３４］
前記マルチモードデバイスの少なくとも１つのアクセスタイミングパラメータを適応させる前記命令は、
前記マルチモードデバイスによって使用されるバックオフタイマを適応させることを前記プロセッサによって実行可能である、
［Ｃ３１］に記載のコンピュータプログラム製品。
［Ｃ３５］
前記命令は、
前記ＤＳＲＣスペクトル内のＤＳＲＣ送信のアクティビティレベルを決定することと、
ＤＳＲＣ送信の前記決定されたアクティビティに少なくとも部分的に基づいて非ＤＳＲＣ送信のために前記ＤＳＲＣスペクトルを使用するかどうかを決定することと
を前記プロセッサによってさらに実行可能である、［Ｃ３１］に記載のコンピュータプログラム製品。
［Ｃ３６］
前記命令は、
前記マルチモードデバイスの前記少なくとも１つのアクセスタイミングパラメータを適応させることを前記プロセッサによってさらに実行可能であり、前記適応は、ＤＳＲＣ送信の前記決定されたアクティビティレベルに少なくとも部分的に基づく、
［Ｃ２５］に記載のコンピュータプログラム製品。
［Ｃ３７］
前記命令は、
ＤＳＲＣ送信の第１のアクティビティレベルを備える第１の時間期間を識別することと、
ＤＳＲＣアクティビティの第２のアクティビティレベルを備える第２の時間期間を識別すること、前記第２のアクティビティレベルは、前記第１のアクティビティレベルと異なる、と、
前記第１の時間期間の間の第１の適応に従って前記少なくとも１つのアクセスタイミングパラメータを適応させることと、
前記第２の時間期間の間の第２の適応に従って前記少なくとも１つのアクセスタイミングパラメータを適応させること、前記第２の適応は、前記第１の適応と異なる、と
を前記プロセッサによってさらに実行可能である、［Ｃ２５］に記載のコンピュータプログラム製品。
［Ｃ３８］
前記命令は、
前記ＤＳＲＣスペクトル内のアクティビティレベルを送信することを前記プロセッサによってさらに実行可能である、
［Ｃ３１］に記載のコンピュータプログラム製品。
［Ｃ３９］
前記命令は、
前記マルチモードデバイスの前記少なくとも１つのアクセスタイミングパラメータに適用する前記適応を示すアクセスポイント（ＡＰ）から命令を受信することを前記プロセッサによってさらに実行可能であり、前記命令は、前記ＤＳＲＣ内のアクティビティレベルに少なくとも部分的に基づく、
［Ｃ３１］に記載のコンピュータプログラム製品。
［Ｃ４０］
前記命令は、
前記ＤＳＲＣスペクトルの外側で動作するために、前記ＤＳＲＣスペクトル内で動作している前記マルチモードデバイスの前記少なくとも１つのアクセスタイミングパラメータを適応させることを前記プロセッサによって実行可能である、
［Ｃ３１］に記載のコンピュータプログラム製品。
【国際調査報告】
2016524882.tif 000014
2016524882.tif 000015
2016524882.tif 000016